(57)【要約】  物体側から像側へと順に、正のパワーを有する第１レンズ群と、負のパワーを有する第２レンズ群と、正のパワーを有する第３レンズ群と、負のパワーを有する第４レンズ群と、第５レンズ群と、第６レンズ群とからなり、撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、前記第４レンズ群を光軸に沿って移動させて、無限遠合焦状態から近接物体合焦状態へのフォーカシングを行うことを特徴とする、ズームレンズ系。
2014006653.tif 000002
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
第５レンズ群と、
第６レンズ群とからなり、
撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、
前記第４レンズ群を光軸に沿って移動させて、無限遠合焦状態から近接物体合焦状態へのフォーカシングを行う
ことを特徴とする、ズームレンズ系。
【請求項２】
以下の条件（１）を満足する、請求項１に記載のズームレンズ系：
０．０５＜Ｄ４／ｆＴ＜０．２０  ・・・（１）
ここで、
Ｄ４：撮像時の広角端から望遠端へのズーミングの際の、第４レンズ群の移動量、
ｆＴ：望遠端における全系の焦点距離
である。
【請求項３】
前記第５レンズ群は、正のパワーを有する、請求項１に記載のズームレンズ系。
【請求項４】
前記第６レンズ群は、負のパワーを有する、請求項１に記載のズームレンズ系。
【請求項５】
前記第５レンズ群は、１枚のレンズ素子で構成される、請求項１に記載のズームレンズ系。
【請求項６】
前記第６レンズ群は、１枚のレンズ素子で構成される、請求項１に記載のズームレンズ系。
【請求項７】
前記第３レンズ群の物体側に開口絞りが配置され、撮像時の広角端から望遠端へのズーミングの際に、該開口絞りは該第３レンズ群と一体となって光軸に沿って移動する、請求項１に記載のズームレンズ系。
【請求項８】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１に記載のズームレンズ系である、撮像装置。
【請求項９】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【請求項１０】
物体側から像側へと順に、少なくとも
正のパワーを有する第１レンズ群と、
負のパワーを有する第２レンズ群と、
正のパワーを有する第３レンズ群とを備え、
撮像時の広角端から望遠端へのズーミングの際に、前記第１レンズ群、前記第２レンズ群及び前記第３レンズ群が光軸に沿って移動し、
以下の条件（２）、（３）及び（４）を満足することを特徴とする、ズームレンズ系：
０．７＜ＬＴ／ｆＴ＜１．５  ・・・（２）
ｆＴ／ｆＷ＞１２．０  ・・・（３）
ＦＴ／ＦＷ＜１．４  ・・・（４）
ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である。
【請求項１１】
前記第３レンズ群の像側に、物体側から像側へと順に、負のパワーを有する第４レンズ群と、正のパワーを有する第５レンズ群と、負のパワーを有する第６レンズ群とが配置されている、請求項１０に記載のズームレンズ系。
【請求項１２】
前記第３レンズ群の物体側に開口絞りが配置され、撮像時の広角端から望遠端へのズーミングの際に、該開口絞りは該第３レンズ群と一体となって光軸に沿って移動する、請求項１０に記載のズームレンズ系。
【請求項１３】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１０に記載のズームレンズ系である、撮像装置。
【請求項１４】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１０に記載のズームレンズ系である、カメラ。
【発明の詳細な説明】
【技術分野】
【０００１】
本開示は、ズームレンズ系、撮像装置及びカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。【０００３】
特許文献１〜４は、第１レンズ群が正のパワーを有し、第２レンズ群が負のパワーを有し、第３レンズ群が正のパワーを有する６群構成であり、ズーミングの際に第１レンズ群乃至第３レンズ群が移動するレンズ系を開示している。【０００４】
特許文献５は、第１レンズ群が正のパワーを有し、第２レンズ群が負のパワーを有し、第３レンズ群が正のパワーを有し、第４レンズ群が負のパワーを有し、第５レンズ群が正のパワーを有し、第６レンズ群が負のパワーを有する６群構成であり、これらのレンズ群の間隔を変化させて変倍を行い、第４レンズ群を光軸に沿って移動させてフォーカシングを行うレンズ系を開示している。
【先行技術文献】
【特許文献】
【０００５】
【特許文献１】特開２０１１−２０９３４７号公報
【特許文献２】特開２０１１−１２３３３７号公報
【特許文献３】特開２０１１−０９０１９０号公報
【特許文献４】特開２０１０−０３９２７１号公報
【特許文献５】特開２００６−２５１４６２号公報
【発明の概要】
【発明が解決しようとする課題】
【０００６】
本開示は、小型かつ高倍率でありながら、望遠端においても充分に明るく、解像度が高いズームレンズ系を提供する。また本開示は、該ズームレンズ系を含む撮像装置及び該撮像装置を備えたカメラを提供する。
【課題を解決するための手段】
【０００７】
（Ｉ）本開示におけるズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
第５レンズ群と、
第６レンズ群とからなり、
撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、
前記第４レンズ群を光軸に沿って移動させて、無限遠合焦状態から近接物体合焦状態へのフォーカシングを行う
ことを特徴とする。【０００８】
本開示における撮像装置は、
物体の光学的な像を電気的な画像信号として出力可能であり、
物体の光学的な像を形成するズームレンズ系と、
該ズームレンズ系により形成された光学的な像を電気的な画像信号に変換する撮像素子と
を備え、
前記ズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
第５レンズ群と、
第６レンズ群とからなり、
撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、
前記第４レンズ群を光軸に沿って移動させて、無限遠合焦状態から近接物体合焦状態へのフォーカシングを行う
ことを特徴とする。【０００９】
本開示におけるカメラは、
物体の光学的な像を電気的な画像信号に変換し、変換された画像信号の表示及び記憶の少なくとも一方を行い、
物体の光学的な像を形成するズームレンズ系と、該ズームレンズ系により形成された光学的な像を電気的な画像信号に変換する撮像素子とを含む撮像装置を備え、
前記ズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
第５レンズ群と、
第６レンズ群とからなり、
撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、
前記第４レンズ群を光軸に沿って移動させて、無限遠合焦状態から近接物体合焦状態へのフォーカシングを行う
ことを特徴とする。【００１０】
（II）本開示におけるズームレンズ系は、
物体側から像側へと順に、少なくとも
正のパワーを有する第１レンズ群と、
負のパワーを有する第２レンズ群と、
正のパワーを有する第３レンズ群とを備え、
撮像時の広角端から望遠端へのズーミングの際に、前記第１レンズ群、前記第２レンズ群及び前記第３レンズ群が光軸に沿って移動し、
以下の条件（２）、（３）及び（４）：
０．７＜ＬＴ／ｆＴ＜１．５  ・・・（２）
ｆＴ／ｆＷ＞１２．０  ・・・（３）
ＦＴ／ＦＷ＜１．４  ・・・（４）
（ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である）
を満足する
ことを特徴とする。【００１１】
本開示における撮像装置は、
物体の光学的な像を電気的な画像信号として出力可能であり、
物体の光学的な像を形成するズームレンズ系と、
該ズームレンズ系により形成された光学的な像を電気的な画像信号に変換する撮像素子と
を備え、
前記ズームレンズ系は、
物体側から像側へと順に、少なくとも
正のパワーを有する第１レンズ群と、
負のパワーを有する第２レンズ群と、
正のパワーを有する第３レンズ群とを備え、
撮像時の広角端から望遠端へのズーミングの際に、前記第１レンズ群、前記第２レンズ群及び前記第３レンズ群が光軸に沿って移動し、
以下の条件（２）、（３）及び（４）：
０．７＜ＬＴ／ｆＴ＜１．５  ・・・（２）
ｆＴ／ｆＷ＞１２．０  ・・・（３）
ＦＴ／ＦＷ＜１．４  ・・・（４）
（ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である）
を満足する
ことを特徴とする。【００１２】
本開示におけるカメラは、
物体の光学的な像を電気的な画像信号に変換し、変換された画像信号の表示及び記憶の少なくとも一方を行い、
物体の光学的な像を形成するズームレンズ系と、該ズームレンズ系により形成された光学的な像を電気的な画像信号に変換する撮像素子とを含む撮像装置を備え、
前記ズームレンズ系は、
物体側から像側へと順に、少なくとも
正のパワーを有する第１レンズ群と、
負のパワーを有する第２レンズ群と、
正のパワーを有する第３レンズ群とを備え、
撮像時の広角端から望遠端へのズーミングの際に、前記第１レンズ群、前記第２レンズ群及び前記第３レンズ群が光軸に沿って移動し、
以下の条件（２）、（３）及び（４）：
０．７＜ＬＴ／ｆＴ＜１．５  ・・・（２）
ｆＴ／ｆＷ＞１２．０  ・・・（３）
ＦＴ／ＦＷ＜１．４  ・・・（４）
（ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である）
を満足する
ことを特徴とする。
【発明の効果】
【００１３】
本開示におけるズームレンズ系は、小型かつ高倍率でありながら、望遠端においても充分に明るく、解像度が高い。
【図面の簡単な説明】
【００１４】
【図１】図１は、実施の形態１（数値実施例１）に係るズームレンズ系の無限遠合焦状態を示すレンズ配置図である。
【図２】図２は、数値実施例１に係るズームレンズ系の無限遠合焦状態の縦収差図である。
【図３】図３は、数値実施例１に係るズームレンズ系の望遠端における、像ぶれ補正を行っていない基本状態及び像ぶれ補正状態での横収差図である。
【図４】図４は、実施の形態２（数値実施例２）に係るズームレンズ系の無限遠合焦状態を示すレンズ配置図である。
【図５】図５は、数値実施例２に係るズームレンズ系の無限遠合焦状態の縦収差図である。
【図６】図６は、数値実施例２に係るズームレンズ系の望遠端における、像ぶれ補正を行っていない基本状態及び像ぶれ補正状態での横収差図である。
【図７】図７は、実施の形態３（数値実施例３）に係るズームレンズ系の無限遠合焦状態を示すレンズ配置図である。
【図８】図８は、数値実施例３に係るズームレンズ系の無限遠合焦状態の縦収差図である。
【図９】図９は、数値実施例３に係るズームレンズ系の望遠端における、像ぶれ補正を行っていない基本状態及び像ぶれ補正状態での横収差図である。
【図１０】図１０は、実施の形態４（数値実施例４）に係るズームレンズ系の無限遠合焦状態を示すレンズ配置図である。
【図１１】図１１は、数値実施例４に係るズームレンズ系の無限遠合焦状態の縦収差図である。
【図１２】図１２は、数値実施例４に係るズームレンズ系の望遠端における、像ぶれ補正を行っていない基本状態及び像ぶれ補正状態での横収差図である。
【図１３】図１３は、実施の形態５（数値実施例５）に係るズームレンズ系の無限遠合焦状態を示すレンズ配置図である。
【図１４】図１４は、数値実施例５に係るズームレンズ系の無限遠合焦状態の縦収差図である。
【図１５】図１５は、数値実施例５に係るズームレンズ系の望遠端における、像ぶれ補正を行っていない基本状態及び像ぶれ補正状態での横収差図である。
【図１６】図１６は、実施の形態６に係るデジタルスチルカメラの概略構成図である。
【発明を実施するための形態】
【００１５】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、発明者らは、当業者が本開示を充分に理解するために添付図面および以下の説明を提供するのであって、これらによって請求の範囲に記載の主題を限定することを意図するものではない。
【００１７】
（実施の形態１〜５）
図１、４、７、１０及び１３は、各々実施の形態１〜５に係るズームレンズ系のレンズ配置図であり、いずれも無限遠合焦状態にあるズームレンズ系を表している。
【００１８】
各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１９】
さらに各図において、レンズ群に付された矢印は、無限遠合焦状態から近接物体合焦状態へのフォーカシングを表す。すなわち、図１、４、７、１０及び１３では、後述する第４レンズ群Ｇ４が無限遠合焦状態から近接物体合焦状態へのフォーカシングの際に移動する方向を示している。
【００２０】
各実施の形態に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６とを備える。該第３レンズ群Ｇ３の物体側には、開口絞りＡが設けられている。
【００２１】
ズーミングに際して、各レンズ群の間隔、すなわち、第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、第４レンズ群Ｇ４と第５レンズ群Ｇ５との間隔、及び第５レンズ群Ｇ５と第６レンズ群Ｇ６との間隔がいずれも変化するように、第１レンズ群Ｇ１乃至第５レンズ群Ｇ５は光軸に沿ってそれぞれ移動する。各実施の形態に係るズームレンズ系は、これら各レンズ群を所望のパワー配置にすることにより、高い光学性能を保持しつつ、レンズ系全体の小型化を可能にしている。
【００２２】
図１、４、７、１０及び１３において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表し、該像面Ｓの物体側（像面Ｓと第６レンズ群Ｇ６の最像側レンズ面との間）には、光学的ローパスフィルタや撮像素子のフェースプレート等と等価な平行平板Ｐが設けられている。
【００２３】
（実施の形態１）
図１に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００２４】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００２５】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００２６】
第４レンズ群Ｇ４は、物体側に凸面を向けた負メニスカス形状の第１２レンズ素子Ｌ１２のみからなる。
【００２７】
第５レンズ群Ｇ５は、両凸形状の第１３レンズ素子Ｌ１３のみからなる。この第１３レンズ素子Ｌ１３は、その両面が非球面である。
【００２８】
第６レンズ群Ｇ６は、両凹形状の第１４レンズ素子Ｌ１４のみからなる。この第１４レンズ素子Ｌ１４は、その物体側面が非球面である。
【００２９】
実施の形態１に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、物体側に凸の軌跡を描いて物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００３０】
さらに、実施の形態１に係るズームレンズ系において、無限遠合焦状態から近接物体合焦状態へのフォーカシングの際に、第４レンズ群Ｇ４が光軸に沿って像側へ移動する。
【００３１】
（実施の形態２）
図４に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００３２】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００３３】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００３４】
第４レンズ群Ｇ４は、物体側に凸面を向けた負メニスカス形状の第１２レンズ素子Ｌ１２のみからなる。
【００３５】
第５レンズ群Ｇ５は、両凸形状の第１３レンズ素子Ｌ１３のみからなる。この第１３レンズ素子Ｌ１３は、その両面が非球面である。
【００３６】
第６レンズ群Ｇ６は、両凹形状の第１４レンズ素子Ｌ１４のみからなる。この第１４レンズ素子Ｌ１４は、その物体側面が非球面である。
【００３７】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、物体側に凸の軌跡を描いて物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００３８】
さらに、実施の形態２に係るズームレンズ系において、無限遠合焦状態から近接物体合焦状態へのフォーカシングの際に、第４レンズ群Ｇ４が光軸に沿って像側へ移動する。
【００３９】
（実施の形態３）
図７に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４０】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００４１】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００４２】
第４レンズ群Ｇ４は、物体側に凸面を向けた負メニスカス形状の第１２レンズ素子Ｌ１２のみからなる。
【００４３】
第５レンズ群Ｇ５は、両凸形状の第１３レンズ素子Ｌ１３のみからなる。この第１３レンズ素子Ｌ１３は、その両面が非球面である。
【００４４】
第６レンズ群Ｇ６は、両凹形状の第１４レンズ素子Ｌ１４のみからなる。この第１４レンズ素子Ｌ１４は、その物体側面が非球面である。
【００４５】
実施の形態３に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、物体側に凸の軌跡を描いて物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００４６】
さらに、実施の形態３に係るズームレンズ系において、無限遠合焦状態から近接物体合焦状態へのフォーカシングの際に、第４レンズ群Ｇ４が光軸に沿って像側へ移動する。
【００４７】
（実施の形態４）
図１０に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、両凹形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００４９】
第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００５０】
第４レンズ群Ｇ４は、両凹形状の第１２レンズ素子Ｌ１２のみからなる。
【００５１】
第５レンズ群Ｇ５は、両凸形状の第１３レンズ素子Ｌ１３のみからなる。この第１３レンズ素子Ｌ１３は、その両面が非球面である。
【００５２】
第６レンズ群Ｇ６は、両凹形状の第１４レンズ素子Ｌ１４のみからなる。この第１４レンズ素子Ｌ１４は、その物体側面が非球面である。
【００５３】
実施の形態４に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、像側に凸の軌跡を描いて物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００５４】
さらに、実施の形態４に係るズームレンズ系において、無限遠合焦状態から近接物体合焦状態へのフォーカシングの際に、第４レンズ群Ｇ４が光軸に沿って像側へ移動する。
【００５５】
（実施の形態５）
図１３に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００５６】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００５７】
第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００５８】
第４レンズ群Ｇ４は、物体側に凸面を向けた負メニスカス形状の第１２レンズ素子Ｌ１２のみからなる。
【００５９】
第５レンズ群Ｇ５は、両凸形状の第１３レンズ素子Ｌ１３のみからなる。この第１３レンズ素子Ｌ１３は、その両面が非球面である。
【００６０】
第６レンズ群Ｇ６は、両凹形状の第１４レンズ素子Ｌ１４のみからなる。この第１４レンズ素子Ｌ１４は、その物体側面が非球面である。
【００６１】
実施の形態５に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、略単調に物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００６２】
さらに、実施の形態５に係るズームレンズ系において、無限遠合焦状態から近接物体合焦状態へのフォーカシングの際に、第４レンズ群Ｇ４が光軸に沿って像側へ移動する。
【００６３】
実施の形態１〜５に係るズームレンズ系では、第４レンズ群Ｇ４が負のパワーを有し、第５レンズ群Ｇ５が正のパワーを有し、第６レンズ群Ｇ６が負のパワーを有するので、ズーム全域に渡って諸収差を良好に補正することができ、高性能を維持しながらさらなるコンパクト化が可能である。
【００６４】
前記したように、実施の形態１〜５に係るズームレンズ系では、第４レンズ群Ｇ４が負のパワーを有し、第５レンズ群Ｇ５が正のパワーを有し、第６レンズ群Ｇ６が負のパワーを有するが、本開示において、第３レンズ群Ｇ３よりも像側に配置されるレンズ群のパワーには特に限定がない。
【００６５】
実施の形態１〜５に係るズームレンズ系では、第５レンズ群Ｇ５及び第６レンズ群Ｇ６がいずれも、１枚のレンズ素子で構成されるので、さらなるコンパクト化が可能である。
【００６６】
前記したように、実施の形態１〜５に係るズームレンズ系では、第５レンズ群Ｇ５及び第６レンズ群Ｇ６がいずれも、１枚のレンズ素子で構成されるが、本開示において、第５レンズ群Ｇ５及び第６レンズ群Ｇ６を構成するレンズ素子の数には特に限定がない。
【００６７】
実施の形態１〜５に係るズームレンズ系では、撮像時の広角端から望遠端へのズーミングの際に、望遠端での第３レンズ群Ｇ３と第４レンズ群Ｇ４との間隔が、広角端での該間隔よりも大きくなるように、第１レンズ群Ｇ１乃至第４レンズ群Ｇ４が光軸に沿って移動するので、第３レンズ群Ｇ３及び第４レンズ群Ｇ４での変倍作用を大きくすることができ、高倍率を達成しながら、かつコンパクト化が可能である。
【００６８】
実施の形態１〜５に係るズームレンズ系では、第４レンズ群Ｇ４を光軸に沿って移動させて、無限遠合焦状態から近接物体合焦状態へのフォーカシングを行うので、無限遠合焦状態及び近接物体合焦状態での第４レンズ群Ｇ４の移動量を小さくすることができ、収差性能の変動を抑えることが可能である。また、コンパクト化にも寄与させることが可能である。
【００６９】
実施の形態１〜５に係るズームレンズ系では、第３レンズ群Ｇ３の物体側に開口絞りＡが配置されており、撮像時の広角端から望遠端へのズーミングの際に、該開口絞りＡは該第３レンズ群Ｇ３と一体となって光軸に沿って移動するので、収差性能を良好に補正することと、コンパクト化とが可能となる。具体的には、広角端で開口絞りＡと第３レンズ群Ｇ３との間隔を開けると、第３レンズ群Ｇ３内を通る光束が広がり、諸収差、特に球面収差を抑制することが困難となる。また、望遠端で開口絞りＡと第３レンズ群Ｇ３との間隔を開けると、第２レンズ群Ｇ２と第３レンズ群Ｇ３との間隔が広がることになり、望遠端でのレンズ全長も長くなることから、コンパクト化が困難となる。
【００７０】
なお、開放Ｆ値を決定する開口絞りＡの径は、広角端での値と望遠端での値とが同じであってもよく、異なっていてもよい。
【００７１】
実施の形態１〜５に係るズームレンズ系では、第３レンズ群Ｇ３が、像のぶれを光学的に補正するために、光軸に対して垂直な方向に移動可能に構成された像ぶれ補正レンズ群であり、該像ぶれ補正レンズ群を光軸に対して垂直な方向に移動させることによって、全系の振動による像点移動を補正する、すなわち、手ぶれ、振動等による像のぶれを光学的に補正することができる。
【００７２】
全系の振動による像点移動を補正する際に、像ぶれ補正レンズ群が光軸に対して垂直な方向に移動することにより、ズームレンズ系全体の大型化を抑制してコンパクトに構成しながら、偏心コマ収差や偏心非点収差が小さい優れた結像特性を維持して像ぶれの補正を行うことができる。
【００７３】
以上のように、本出願において開示する技術の例示として、実施の形態１〜５を説明した。しかしながら、本開示における技術は、これに限定されず、適宜、変更、置き換え、付加、省略などを行った実施の形態にも適用可能である。
【００７４】
以下、例えば実施の形態１〜５に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００７５】
例えば実施の形態１〜５に係るズームレンズ系のように、物体側から像側へと順に、正のパワーを有する第１レンズ群と、負のパワーを有する第２レンズ群と、正のパワーを有する第３レンズ群と、負のパワーを有する第４レンズ群と、第５レンズ群と、第６レンズ群とからなり、撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、前記第４レンズ群を光軸に沿って移動させて、無限遠合焦状態から近接物体合焦状態へのフォーカシングを行うズームレンズ系は、以下の条件（１）を満足することが可能である。
０．０５＜Ｄ４／ｆＴ＜０．２０  ・・・（１）
ここで、
Ｄ４：撮像時の広角端から望遠端へのズーミングの際の、第４レンズ群の移動量、
ｆＴ：望遠端における全系の焦点距離
である。
【００７６】
前記条件（１）は、ズーミングの際の第４レンズ群の移動量と望遠端における全系の焦点距離との比を規定するための条件である。条件（１）の下限を下回ると、第４レンズ群の移動量が小さくなり過ぎ、第４レンズ群での変倍作用が小さくなり過ぎる。その結果、第４レンズ群以外のレンズ群で変倍作用を負担することになり、全系に渡っての収差補正が困難となる。また、第４レンズ群以外のレンズ群の移動量が大きくなり、レンズ全長も大きくなり過ぎることから、コンパクトなレンズ鏡筒や撮像装置、カメラを提供することが困難となる。逆に条件（１）の上限を上回ると、第４レンズ群の移動量が大きくなり過ぎ、色収差や像面湾曲等の収差を全系に渡って良好に補正することが困難となる。また、第４レンズ群の移動量が大きくなり、レンズ全長も大きくなり過ぎることから、コンパクトなレンズ鏡筒や撮像装置、カメラを提供することが困難となる。
【００７７】
例えば実施の形態１〜５に係るズームレンズ系のように、物体側から像側へと順に、少なくとも、正のパワーを有する第１レンズ群と、負のパワーを有する第２レンズ群と、正のパワーを有する第３レンズ群とを備え、撮像時の広角端から望遠端へのズーミングの際に、前記第１レンズ群、前記第２レンズ群及び前記第３レンズ群が光軸に沿って移動するズームレンズ系は、以下の条件（２）、（３）及び（４）を満足する。
０．７＜ＬＴ／ｆＴ＜１．５  ・・・（２）
ｆＴ／ｆＷ＞１２．０  ・・・（３）
ＦＴ／ＦＷ＜１．４  ・・・（４）
ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である。
【００７８】
前記条件（２）は、望遠端におけるレンズ全長と望遠端における全系の焦点距離との比を規定するための条件である。条件（２）の下限を下回ると、望遠端におけるレンズ全長が小さくなり過ぎ、望遠端における収差補正を良好に行うことが困難となる。逆に条件（２）の上限を上回ると、望遠端におけるレンズ全長が大きくなり過ぎ、コンパクトなレンズ鏡筒や撮像装置、カメラを提供することが困難となる。
【００７９】
以下の条件（２）’及び（２）’’の少なくとも１つを満足することにより、前記効果をさらに奏功させることができる。
０．９＜ＬＴ／ｆＴ  ・・・（２）’
ＬＴ／ｆＴ＜１．３  ・・・（２）’’
【００８０】
前記条件（３）は、望遠端における全系の焦点距離と広角端における全系の焦点距離との比、すなわちズーム比を規定するための条件である。条件（３）を満足しない場合には、ズーム比が小さく、充分な倍率を有するズームレンズ系や撮像装置、カメラを提供することが困難となる。
【００８１】
以下の条件（３）’を満足することにより、前記効果をさらに奏功させることができる。
ｆＴ／ｆＷ＞２０．０  ・・・（３）’
【００８２】
前記条件（４）は、望遠端におけるＦナンバーと広角端におけるＦナンバーとの比を規定するための条件である。条件（４）を満足しない場合には、広角端におけるＦナンバーに対して望遠端におけるＦナンバーが大きくなり過ぎ、望遠端において充分に明るいズームレンズ系や撮像装置、カメラを提供することが困難となる。
【００８３】
以下の条件（４）’を満足することにより、前記効果をさらに奏功させることができる。
ＦＴ／ＦＷ＜１．２  ・・・（４）’
【００８４】
実施の形態１〜５に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善される。
【００８５】
さらに各実施の形態では、像面Ｓの物体側（像面Ｓと第６レンズ群Ｇ６の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００８６】
（実施の形態６）
図１６は、実施の形態６に係るデジタルスチルカメラの概略構成図である。図１６において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１６において、ズームレンズ系１は、第１レンズ群Ｇ１と、第２レンズ群Ｇ２と、開口絞りＡと、第３レンズ群Ｇ３と、第４レンズ群Ｇ４と、第５レンズ群Ｇ５と、第６レンズ群Ｇ６とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００８７】
鏡筒は、主鏡筒５と、移動鏡筒６と、円筒カム７とで構成されている。円筒カム７を回転させると、第１レンズ群Ｇ１、第２レンズ群Ｇ２、開口絞りＡと第３レンズ群Ｇ３、第４レンズ群Ｇ４、第５レンズ群Ｇ５及び第６レンズ群Ｇ６が、撮像素子２を基準にした所定の位置に移動し、広角端から望遠端までのズーミングを行うことができる。第４レンズ群Ｇ４はフォーカス調整用モータにより光軸方向に移動可能である。
【００８８】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１６に示したデジタルスチルカメラには、実施の形態１に係るズームレンズ系の替わりに実施の形態２〜５に係るズームレンズ系のいずれかを用いてもよい。また、図１６に示したデジタルスチルカメラの光学系は、動画像を対象とするデジタルビデオカメラに用いることもできる。この場合、静止画像だけでなく、解像度の高い動画像を撮影することができる。
【００８９】
なお、本実施の形態６に係るデジタルスチルカメラでは、ズームレンズ系１として実施の形態１〜５に係るズームレンズ系を示したが、これらのズームレンズ系は、全てのズーミング域を使用する必要はない。すなわち、所望のズーミング域に応じて、光学性能が確保されている範囲を切り出し、実施の形態１〜５で説明したズームレンズ系よりも低倍率のズームレンズ系として使用してもよい。
【００９０】
さらに、実施の形態６では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態６において、第２レンズ群Ｇ２全体、第３レンズ群Ｇ３全体、第２レンズ群Ｇ２の一部、第３レンズ群Ｇ３の一部等のズームレンズ系を構成している一部のレンズ群を、沈胴時に光軸上から退避させる、いわゆるスライディング鏡筒にズームレンズ系を適用してもよい。
【００９１】
また、以上説明した実施の形態１〜５に係るズームレンズ系と、ＣＣＤやＣＭＯＳ等の撮像素子とから構成される撮像装置を、スマートフォン等の携帯情報端末、監視システムにおける監視カメラ、Ｗｅｂカメラ、車載カメラ等に適用することもできる。
【００９２】
以上のように、本出願において開示する技術の例示として、実施の形態６を説明した。しかしながら、本開示における技術は、これに限定されず、適宜、変更、置き換え、付加、省略などを行った実施の形態にも適用可能である。
【００９３】
以下、実施の形態１〜５に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014006653.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００９４】
図２、５、８、１１及び１４は、各々数値実施例１〜５に係るズームレンズ系の縦収差図である。
【００９５】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００９６】
図３、６、９、１２及び１５は、各々数値実施例１〜５に係るズームレンズ系の望遠端における横収差図である。
【００９７】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【００９８】
なお、各数値実施例のズームレンズ系について、望遠端における、像ぶれ補正状態での像ぶれ補正レンズ群の光軸と垂直な方向への移動量は、以下に示すとおりである。
数値実施例１  ０．２１４ｍｍ
数値実施例２  ０．２１０ｍｍ
数値実施例３  ０．２１５ｍｍ
数値実施例４  ０．２５０ｍｍ
数値実施例５  ０．２３７ｍｍ
【００９９】
撮影距離が∞で望遠端において、ズームレンズ系が０．３°だけ傾いた場合の像偏心量は、像ぶれ補正レンズ群が光軸と垂直な方向に上記の各値だけ平行移動するときの像偏心量に等しい。
【０１００】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１０１】
（数値実施例１）
数値実施例１のズームレンズ系は、図１に示した実施の形態１に対応する。数値実施例１のズームレンズ系の面データを表１に、非球面データを表２に、各種データを表３に示す。
【０１０２】
表  １（面データ）
面番号         r           d           nd         vd                
物面             ∞                                               
1         80.38640     1.40000     1.84666    23.8               
2         53.08730     0.01000     1.56732    42.8               
3         53.08730     5.91570     1.49700    81.6               
4       -427.75360     0.15000                                   
5         47.31150     3.54490     1.59282    68.6               
6        127.17770        可変                                   
7*      1000.00000     0.70000     1.88202    37.2               
8*        12.38510     4.58100                                   
9        -28.39050     0.55000     1.77250    49.6               
10         12.36070     0.01000     1.56732    42.8               
11         12.36070     3.67970     1.92286    20.9               
12        -51.96170     1.26980                                   
13        -17.75000     0.55000     1.84666    23.8               
14        -36.34810        可変                                   
15(絞り)           ∞     1.00000                                   
16*        14.09100     2.63060     1.58332    59.1               
17*        73.19700     2.44310                                   
18         14.31860     4.20000     1.48749    70.4               
19        -14.31860     0.01000     1.56732    42.8               
20        -14.31860     0.80000     1.64769    33.8               
21         14.31860     2.03170                                   
22*        14.05690     3.80690     1.51776    69.9               
23*       -20.22820        可変                                   
24         90.88390     0.99560     1.49700    81.6               
25         14.50130        可変                                   
26*        10.75510     3.30000     1.51776    69.9               
27*       -15.56410        可変                                   
28*       -11.55200     0.87360     1.54410    56.1               
29         20.74910     1.00000                                   
30               ∞     0.78000     1.51680    64.2               
31               ∞        (BF)                                   
像面             ∞                                               
【０１０３】
表  ２（非球面データ）
第7面
K= 0.00000E+00, A4= 5.35704E-05, A6= 4.65344E-07, A8=-7.25267E-09 
A10= 2.22110E-11, A12= 8.30852E-15, A14= 0.00000E+00 
第8面
K= 0.00000E+00, A4= 5.50272E-05, A6= 3.09902E-07, A8= 3.07019E-08 
A10=-2.86257E-10, A12=-4.52816E-13, A14= 0.00000E+00 
第16面
K= 0.00000E+00, A4= 3.48800E-06, A6=-1.42689E-06, A8= 1.35938E-07 
A10=-3.63061E-09, A12= 4.20870E-11, A14=-1.53813E-16 
第17面
K= 0.00000E+00, A4= 2.92293E-05, A6=-2.39842E-06, A8= 2.21752E-07 
A10=-6.29904E-09, A12= 7.24108E-11, A14=-5.87135E-16 
第22面
K= 0.00000E+00, A4=-1.48035E-04, A6=-4.24178E-07, A8= 5.45212E-08 
A10=-1.39274E-09, A12= 0.00000E+00, A14= 0.00000E+00 
第23面
K= 0.00000E+00, A4= 2.14264E-05, A6=-4.49634E-07, A8= 4.61173E-08 
A10=-1.19672E-09, A12= 0.00000E+00, A14= 0.00000E+00 
第26面
K= 0.00000E+00, A4=-1.62288E-04, A6= 6.30224E-06, A8=-2.17877E-07 
A10= 4.94955E-10, A12= 0.00000E+00, A14= 0.00000E+00 
第27面
K= 0.00000E+00, A4= 2.37250E-04, A6= 7.41232E-06, A8=-4.10461E-07 
A10= 4.09234E-09, A12= 0.00000E+00, A14= 0.00000E+00 
第28面
K= 0.00000E+00, A4= 1.55938E-03, A6=-4.44918E-05, A8= 1.30805E-06 
A10=-1.79649E-08, A12= 0.00000E+00, A14= 0.00000E+00
【０１０４】
表  ３（各種データ）
ズーム比    22.21907
広角      中間      望遠
焦点距離       4.6399   21.8698  103.0950
Ｆナンバー     2.90063   2.90020   2.90012
画角        40.7907   10.4346    2.2365
像高         3.4100    3.9020    3.9020
レンズ全長     89.3284   96.5798  125.0498
ＢＦ        0.86417   0.87415   0.84363
d6           0.5000   22.7670   51.7865 
d14         32.7666    5.2446    0.5000 
d23          1.5008   14.2646    6.7433 
d25          4.7802    5.2935   18.1364 
d27          2.6840    1.9034    0.8074 
入射瞳位置     20.8000   65.3027  331.5043
射出瞳位置    -25.7393  -33.0473  -57.2754
前側主点位置   24.6307   73.0726  251.7233
後側主点位置   84.6884   74.7100   21.9548
単レンズデータ
レンズ     始面     焦点距離
1         1     -189.0808
2         3       95.4127
3         5      125.0190
4         7      -14.2225
5         9      -11.0823
6        11       11.1255
7        13      -41.5364
8        16       29.4329
9        18       15.4276
10        20      -10.9335
11        22       16.6488
12        24      -34.8681
13        26       12.8328
14        28      -13.5096
ズームレンズ群データ
群   始面    焦点距離  レンズ構成長    前側主点位置  後側主点位置
1      1    76.99427    11.02060         2.24926       6.15356
2      7    -9.91095    11.34050         1.67140       4.91428
3     15    16.66467    16.92230         7.57014       8.08711
4     24   -34.86815     0.99560         0.79477       1.12241
5     26    12.83282     3.30000         0.92819       1.95678
6     28   -13.50956     2.65360         0.20043       0.77936
ズームレンズ群倍率
群   始面    広角       中間       望遠
1      1    0.00000    0.00000    0.00000
2      7   -0.16506   -0.26235   -1.13160
3     15   -0.40016   -1.10455   -0.87904
4     24    1.53837    1.47178    1.74972
5     26    0.49313    0.55342    0.64048
6     28    1.20270    1.20344    1.20118
【０１０５】
（数値実施例２）
数値実施例２のズームレンズ系は、図４に示した実施の形態２に対応する。数値実施例２のズームレンズ系の面データを表４に、非球面データを表５に、各種データを表６に示す。
【０１０６】
表  ４（面データ）
面番号         r           d           nd         vd                
物面             ∞                                               
1         84.41040     1.40000     1.84666    23.8               
2         54.78730     0.01000     1.56732    42.8               
3         54.78730     5.47000     1.49700    81.6               
4       -307.33830     0.15000                                   
5         44.96750     3.43000     1.59282    68.6               
6        107.82550        可変                                   
7*       283.42180     0.70000     1.80500    41.0               
8*        12.27460     5.16690                                   
9        -26.03490     0.65000     1.77250    49.6               
10         12.39940     0.01000     1.56732    42.8               
11         12.39940     3.66000     1.92286    20.9               
12        -63.96980     1.41520                                   
13        -17.65500     0.55000     1.84666    23.8               
14        -39.04090        可変                                   
15(絞り)           ∞     1.00000                                   
16*        14.59700     2.66000     1.58332    59.1               
17*       195.60410     2.63140                                   
18         14.35680     4.20000     1.48749    70.4               
19        -13.66430     0.01000     1.56732    42.8               
20        -13.66430     0.80000     1.64769    33.8               
21         14.76440     2.90000                                   
22*        13.37660     3.48000     1.51776    69.9               
23*       -25.00000        可変                                   
24         21.33210     0.50000     1.49700    81.6               
25          9.38540        可変                                   
26*        18.06850     3.30000     1.54410    56.1               
27*       -17.97860        可変                                   
28*       -11.26470     1.09000     1.54410    56.1               
29        440.74570     1.00000                                   
30               ∞     0.78000     1.51680    64.2               
31               ∞        (BF)                                   
像面             ∞                                               
【０１０７】
表  ５（非球面データ）
第7面
K= 0.00000E+00, A4= 4.38493E-05, A6= 5.30075E-07, A8=-6.11003E-09 
A10= 1.52956E-11, A12= 8.30852E-15, A14= 0.00000E+00 
第8面
K= 0.00000E+00, A4= 5.58387E-05, A6= 5.27818E-07, A8= 2.21787E-08 
A10=-8.88913E-11, A12=-4.52816E-13, A14= 0.00000E+00 
第16面
K= 0.00000E+00, A4= 2.00544E-05, A6=-1.35728E-06, A8= 1.31657E-07 
A10=-3.41192E-09, A12= 4.20870E-11, A14=-1.53813E-16 
第17面
K= 0.00000E+00, A4= 4.71991E-05, A6=-2.53319E-06, A8= 2.18726E-07 
A10=-6.02035E-09, A12= 7.24108E-11, A14=-5.87135E-16 
第22面
K= 0.00000E+00, A4=-1.09419E-04, A6=-5.79182E-07, A8= 5.91557E-08 
A10=-1.17679E-09, A12= 0.00000E+00, A14= 0.00000E+00 
第23面
K= 0.00000E+00, A4= 5.14361E-05, A6=-3.30779E-07, A8= 4.96534E-08 
A10=-1.06024E-09, A12= 0.00000E+00, A14= 0.00000E+00 
第26面
K= 0.00000E+00, A4=-1.54005E-04, A6= 2.16390E-06, A8=-1.24191E-07 
A10= 1.33463E-09, A12= 0.00000E+00, A14= 0.00000E+00 
第27面
K= 0.00000E+00, A4= 1.04292E-04, A6= 8.68906E-06, A8=-3.82250E-07 
A10= 5.58455E-09, A12= 0.00000E+00, A14= 0.00000E+00 
第28面
K= 0.00000E+00, A4= 1.46492E-03, A6=-1.95582E-05, A8= 2.74882E-07 
A10=-4.53479E-10, A12= 0.00000E+00, A14= 0.00000E+00
【０１０８】
表  ６（各種データ）
ズーム比    22.22135
広角      中間      望遠
焦点距離       4.6398   21.8696  103.1025
Ｆナンバー     2.90008   2.89986   2.90043
画角        40.8126   10.3718    2.2358
像高         3.4100    3.9020    3.9020
レンズ全長     96.5170   95.5082  122.6972
ＢＦ        0.86490   0.86532   0.85221
d6           0.5000   22.0610   51.5230 
d14         39.0933    5.1449    0.5000 
d23          1.5016   16.1964    9.0765 
d25          5.3571    1.9960   12.9820 
d27          2.2366    2.2811    0.8000 
入射瞳位置     21.3078   63.9241  336.7968
射出瞳位置    -29.2375  -29.6516  -48.1944
前側主点位置   25.2325   70.1211  223.1641
後側主点位置   91.8772   73.6386   19.5947
単レンズデータ
レンズ     始面     焦点距離
1         1     -188.4726
2         3       94.0301
3         5      127.5279
4         7      -15.9566
5         9      -10.7932
6        11       11.5193
7        13      -38.5213
8        16       26.8964
9        18       15.1032
10        20      -10.8368
11        22       17.3675
12        24      -34.1949
13        26       17.1147
14        28      -20.1703
ズームレンズ群データ
群   始面    焦点距離  レンズ構成長    前側主点位置  後側主点位置
1      1    76.85520    10.46000         2.03474       5.76639
2      7    -9.53363    12.15210         2.33810       5.90644
3     15    16.70504    17.68140         8.18918       7.90966
4     24   -34.19489     0.50000         0.60480       0.76609
5     26    17.11471     3.30000         1.10696       2.19855
6     28   -20.17027     2.87000         0.01758       0.66802
ズームレンズ群倍率
群   始面    広角       中間       望遠
1      1    0.00000    0.00000    0.00000
2      7   -0.15945   -0.24938   -1.08746
3     15   -0.34892   -1.12980   -0.92136
4     24    1.45267    1.35751    1.58666
5     26    0.64839    0.64577    0.73289
6     28    1.15205    1.15207    1.15142
【０１０９】
（数値実施例３）
数値実施例３のズームレンズ系は、図７に示した実施の形態３に対応する。数値実施例３のズームレンズ系の面データを表７に、非球面データを表８に、各種データを表９に示す。
【０１１０】
表  ７（面データ）
面番号         r           d           nd         vd                
物面             ∞                                               
1         86.31960     1.40000     1.84666    23.8               
2         55.60180     0.01000     1.56732    42.8               
3         55.60180     5.47000     1.49700    81.6               
4       -279.47210     0.15000                                   
5         45.23330     3.43000     1.59282    68.6               
6        109.72110        可変                                   
7*       155.76370     0.70000     1.80500    41.0               
8*        12.04000     5.30310                                   
9        -25.63560     0.65000     1.77250    49.6               
10         12.07150     0.01000     1.56732    42.8               
11         12.07150     3.66000     1.92286    20.9               
12        -60.40720     1.52570                                   
13        -16.38790     0.55000     1.84666    23.8               
14        -33.25120        可変                                   
15(絞り)           ∞     1.00000                                   
16*        14.07800     2.66000     1.58332    59.1               
17*       110.60450     3.26150                                   
18         14.38670     4.20000     1.48749    70.4               
19        -12.40040     0.01000     1.56732    42.8               
20        -12.40040     0.80000     1.64769    33.8               
21         14.76440     2.90000                                   
22*        13.37660     3.48000     1.51776    69.9               
23*       -25.00000        可変                                   
24         39.03180     0.50000     1.49700    81.6               
25         13.11540        可変                                   
26*        12.27840     3.30000     1.54410    56.1               
27*       -12.33230        可変                                   
28*        -9.81250     1.09000     1.54410    56.1               
29         21.36130     1.00000                                   
30               ∞     0.78000     1.51680    64.2               
31               ∞        (BF)                                   
像面             ∞                                               
【０１１１】
表  ８（非球面データ）
第7面
K= 0.00000E+00, A4= 4.18016E-05, A6= 6.27207E-07, A8=-6.73152E-09 
A10= 1.63026E-11, A12= 8.30852E-15, A14= 0.00000E+00 
第8面
K= 0.00000E+00, A4= 5.07841E-05, A6= 6.06733E-07, A8= 2.61719E-08 
A10=-9.05126E-11, A12=-4.52816E-13, A14= 0.00000E+00 
第16面
K= 0.00000E+00, A4= 8.17589E-06, A6=-1.31105E-06, A8= 1.31005E-07 
A10=-3.43152E-09, A12= 4.20870E-11, A14=-1.53813E-16 
第17面
K= 0.00000E+00, A4= 3.82028E-05, A6=-2.62741E-06, A8= 2.19488E-07 
A10=-6.05000E-09, A12= 7.24108E-11, A14=-5.87135E-16 
第22面
K= 0.00000E+00, A4=-1.01230E-04, A6=-6.53434E-07, A8= 5.69916E-08 
A10=-1.21030E-09, A12= 0.00000E+00, A14= 0.00000E+00 
第23面
K= 0.00000E+00, A4= 5.63360E-05, A6=-4.20103E-07, A8= 4.76244E-08 
A10=-1.09765E-09, A12= 0.00000E+00, A14= 0.00000E+00 
第26面
K= 0.00000E+00, A4=-1.43850E-04, A6= 4.28820E-06, A8=-1.33364E-07 
A10= 3.14965E-09, A12= 0.00000E+00, A14= 0.00000E+00 
第27面
K= 0.00000E+00, A4= 4.78110E-04, A6= 6.53552E-06, A8=-3.36027E-07 
A10= 7.66131E-09, A12= 0.00000E+00, A14= 0.00000E+00 
第28面
K= 0.00000E+00, A4= 1.83072E-03, A6=-2.71355E-05, A8= 2.63493E-07 
A10= 5.50617E-09, A12= 0.00000E+00, A14= 0.00000E+00
【０１１２】
表  ９（各種データ）
ズーム比    22.22074
広角      中間      望遠
焦点距離       4.6399   21.8705  103.1027
Ｆナンバー     2.90019   2.90032   2.90022
画角        40.8220   10.4137    2.2379
像高         3.4100    3.9020    3.9020
レンズ全長     89.5347   98.2937  128.0535
ＢＦ        0.86975   0.85945   0.84822
d6           0.5000   24.3050   51.2109 
d14         32.6582    4.7118    0.5000 
d23          3.9654   17.0043    4.7742 
d25          1.9994    1.9964   21.8535 
d27          1.7016    1.5765    1.0264 
入射瞳位置     21.2392   71.8720  335.1599
射出瞳位置    -26.2637  -32.4471  -83.8206
前側主点位置   25.0857   79.3814  312.7126
後側主点位置   84.8947   76.4233   24.9508
単レンズデータ
レンズ     始面     焦点距離
1         1     -188.4814
2         3       93.8194
3         5      127.3019
4         7      -16.2447
5         9      -10.5447
6        11       11.1727
7        13      -38.7454
8        16       27.3762
9        18       14.4018
10        20      -10.2868
11        22       17.3675
12        24      -40.0002
13        26       11.8687
14        28      -12.2073
ズームレンズ群データ
群   始面    焦点距離  レンズ構成長    前側主点位置  後側主点位置
1      1    76.58004    10.46000         2.10862       5.83858
2      7    -9.75851    12.39880         2.37607       5.96050
3     15    17.29164    18.31150         8.70607       8.01016
4     24   -40.00019     0.50000         0.50627       0.67012
5     26    11.86872     3.30000         1.11912       2.17597
6     28   -12.20733     2.87000         0.21949       0.87793
ズームレンズ群倍率
群   始面    広角       中間       望遠
1      1    0.00000    0.00000    0.00000
2      7   -0.16450   -0.27474   -1.13298
3     15   -0.41294   -1.15246   -0.90214
4     24    1.31835    1.30752    1.76283
5     26    0.54810    0.55921    0.60618
6     28    1.23443    1.23359    1.23267
【０１１３】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１１４】
表  １０（面データ）
面番号         r           d           nd         vd                
物面             ∞                                               
1         76.77810     1.40000     1.84666    23.8               
2         51.74840     0.01000     1.56732    42.8               
3         51.74840     9.67880     1.49700    81.6               
4       -774.08150     0.15000                                   
5         40.67490     4.96510     1.59282    68.6               
6         93.84660        可変                                   
7*      1000.00000     0.70000     1.80500    41.0               
8*        18.10200     6.97910                                   
9        -31.25220     0.65000     1.77250    49.6               
10         11.54730     0.01000     1.56732    42.8               
11         11.54730     5.74060     1.92286    20.9               
12        -43.31600     0.96440                                   
13        -23.58020     0.55000     1.84666    23.8               
14         63.17730        可変                                   
15(絞り)           ∞     1.00000                                   
16*        15.45470     2.92040     1.58332    59.1               
17*      -736.39480     0.50000                                   
18         14.36600     4.20000     1.48749    70.4               
19        -13.92460     0.01000     1.56732    42.8               
20        -13.92460     0.80000     1.64769    33.8               
21         14.76440     2.90000                                   
22*        13.37660     3.48000     1.51776    69.9               
23*       -25.00000        可変                                   
24       -309.47300     0.50000     1.49700    81.6               
25         16.33030        可変                                   
26*        16.12680     3.30000     1.54410    56.1               
27*        -8.59250        可変                                   
28*        -8.60680     1.09000     1.54410    56.1               
29         21.35880     1.00000                                   
30               ∞     0.78000     1.51680    64.2               
31               ∞        (BF)                                   
像面             ∞                                               
【０１１５】
表  １１（非球面データ）
第7面
K= 0.00000E+00, A4= 1.54891E-05, A6= 4.32295E-07, A8=-1.70160E-09 
A10=-9.56497E-13, A12= 8.30852E-15, A14= 0.00000E+00 
第8面
K= 0.00000E+00, A4= 2.44340E-05, A6= 5.67445E-07, A8=-9.23392E-10 
A10= 1.16767E-10, A12=-4.52816E-13, A14= 0.00000E+00 
第16面
K= 0.00000E+00, A4= 1.70477E-05, A6=-1.56759E-06, A8= 1.21695E-07 
A10=-3.46611E-09, A12= 4.20870E-11, A14=-1.53813E-16 
第17面
K= 0.00000E+00, A4= 2.51373E-05, A6=-2.94271E-06, A8= 2.17038E-07 
A10=-6.26625E-09, A12= 7.24108E-11, A14=-5.87135E-16 
第22面
K= 0.00000E+00, A4=-1.21862E-04, A6=-5.87339E-07, A8= 5.29754E-08 
A10=-1.07619E-09, A12= 0.00000E+00, A14= 0.00000E+00 
第23面
K= 0.00000E+00, A4= 5.39483E-05, A6=-5.86702E-07, A8= 5.65871E-08 
A10=-1.17720E-09, A12= 0.00000E+00, A14= 0.00000E+00 
第26面
K= 0.00000E+00, A4=-2.48433E-04, A6= 7.62607E-06, A8= 1.60117E-07 
A10= 4.66949E-09, A12= 0.00000E+00, A14= 0.00000E+00 
第27面
K= 0.00000E+00, A4= 1.03431E-03, A6= 2.39928E-06, A8= 1.50495E-07 
A10= 1.23473E-08, A12= 0.00000E+00, A14= 0.00000E+00 
第28面
K= 0.00000E+00, A4= 2.90825E-03, A6=-6.79142E-05, A8= 2.28889E-06 
A10=-3.41163E-08, A12= 0.00000E+00, A14= 0.00000E+00
【０１１６】
表  １２（各種データ）
ズーム比    28.00356
広角      中間      望遠
焦点距離       4.6397   24.5522  129.9269
Ｆナンバー     2.90018   2.90046   2.90047
画角        41.3696    9.7236    1.8083
像高         3.4100    3.9020    3.9020
レンズ全長    103.4994  107.9156  132.2629
ＢＦ        0.86242   0.86454   0.82628
d6           0.5000   29.1093   47.3190 
d14         39.3966    8.5764    0.5000 
d23          1.7355   11.6609    1.9970 
d25          4.9809    1.9993   26.1179 
d27          1.7456    1.4268    1.2243 
入射瞳位置     30.9726  125.4345  378.6119
射出瞳位置    -24.6835  -24.2125 -101.0576
前側主点位置   34.7696  125.9483  342.8503
後側主点位置   98.8598   83.3634    2.3360
単レンズデータ
レンズ     始面     焦点距離
1         1     -192.4201
2         3       97.9788
3         5      117.0320
4         7      -22.9088
5         9      -10.8432
6        11       10.4013
7        13      -20.2223
8        16       25.9870
9        18       15.2466
10        20      -10.9441
11        22       17.3675
12        24      -31.1951
13        26       10.8113
14        28      -11.1323
ズームレンズ群データ
群   始面    焦点距離  レンズ構成長    前側主点位置  後側主点位置
1      1    75.35494    16.20390         3.25350       8.94907
2      7    -9.77320    15.59410         4.48558      10.14794
3     15    15.65146    15.81040         6.61409       7.52575
4     24   -31.19509     0.50000         0.31710       0.48327
5     26    10.81132     3.30000         1.46311       2.52044
6     28   -11.13232     2.87000         0.20019       0.85897
ズームレンズ群倍率
群   始面    広角       中間       望遠
1      1    0.00000    0.00000    0.00000
2      7   -0.18322   -0.39516   -1.49842
3     15   -0.33041   -0.84055   -0.73390
4     24    1.50632    1.37724    2.12852
5     26    0.53666    0.56603    0.58700
6     28    1.25812    1.25831    1.25487
【０１１７】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１１８】
表  １３（面データ）
面番号         r           d           nd         vd                
物面             ∞                                               
1         80.12480     1.40000     1.84666    23.8               
2         53.41990     0.01000     1.56732    42.8               
3         53.41990     7.13700     1.49700    81.6               
4       -898.58100     0.15000                                   
5         47.99770     4.29620     1.59282    68.6               
6        152.93390        可変                                   
7*        85.13440     0.70000     1.80500    41.0               
8*        14.12710     6.77380                                   
9        -24.47630     0.65000     1.77250    49.6               
10         12.40270     0.01000     1.56732    42.8               
11         12.40270     4.74680     1.92286    20.9               
12        -38.13480     1.15510                                   
13        -19.33380     0.55000     1.84666    23.8               
14       -984.62630        可変                                   
15(絞り)           ∞     1.00000                                   
16*        14.62830     2.99610     1.58332    59.1               
17*      -322.73360     1.40340                                   
18         16.14620     3.95370     1.48749    70.4               
19        -13.25720     0.01000     1.56732    42.8               
20        -13.25720     0.80000     1.64769    33.8               
21         14.76440     2.90000                                   
22*        13.37660     3.47200     1.51776    69.9               
23*       -25.00000        可変                                   
24         60.10550     0.50000     1.49700    81.6               
25         14.89760        可変                                   
26*        13.81940     2.84390     1.54410    56.1               
27*       -12.45050        可変                                   
28*       -10.86940     1.09000     1.54410    56.1               
29         21.44620     1.00000                                   
30               ∞     0.78000     1.51680    64.2               
31               ∞        (BF)                                   
像面             ∞                                               
【０１１９】
表  １４（非球面データ）
第7面
K= 0.00000E+00, A4= 8.47580E-06, A6= 5.61846E-07, A8=-3.06412E-09 
A10= 2.35805E-12, A12= 8.30852E-15, A14= 0.00000E+00 
第8面
K= 0.00000E+00, A4= 1.74688E-05, A6= 5.63030E-07, A8= 5.61040E-09 
A10= 8.64032E-11, A12=-4.52816E-13, A14= 0.00000E+00 
第16面
K= 0.00000E+00, A4= 2.33571E-06, A6=-1.48478E-06, A8= 1.19322E-07 
A10=-3.40533E-09, A12= 4.20870E-11, A14=-1.53813E-16 
第17面
K= 0.00000E+00, A4= 2.35366E-05, A6=-3.04971E-06, A8= 2.18616E-07 
A10=-6.21530E-09, A12= 7.24108E-11, A14=-5.87135E-16 
第22面
K= 0.00000E+00, A4=-1.10358E-04, A6=-8.98389E-07, A8= 5.50286E-08 
A10=-1.33718E-09, A12= 0.00000E+00, A14= 0.00000E+00 
第23面
K= 0.00000E+00, A4= 4.71055E-05, A6=-5.88116E-07, A8= 4.21873E-08 
A10=-1.17312E-09, A12= 0.00000E+00, A14= 0.00000E+00 
第26面
K= 0.00000E+00, A4=-2.09805E-04, A6= 1.51149E-06, A8=-1.97232E-07 
A10= 1.13403E-08, A12= 0.00000E+00, A14= 0.00000E+00 
第27面
K= 0.00000E+00, A4= 2.48914E-04, A6= 5.18792E-06, A8=-1.59195E-07 
A10= 1.22784E-08, A12= 0.00000E+00, A14= 0.00000E+00 
第28面
K= 0.00000E+00, A4= 1.19282E-03, A6=-1.09455E-05, A8= 6.11459E-07 
A10=-9.59011E-09, A12= 0.00000E+00, A14= 0.00000E+00
【０１２０】
表  １５（各種データ）
ズーム比    22.22177
広角      中間      望遠
焦点距離       4.6397   21.8708  103.1029
Ｆナンバー     2.49990   2.49995   2.50039
画角        40.8521   10.3296    2.1710
像高         3.4100    3.9020    3.9020
レンズ全長     98.4695  104.2279  125.7405
ＢＦ        0.85582   0.86438   0.84510
d6           0.5000   28.8939   50.1417 
d14         37.8099    8.0590    0.5000 
d23          1.5028   12.5243    3.5569 
d25          5.9784    1.9974   18.9512 
d27          1.4946    1.5609    1.4176 
入射瞳位置     26.2653  106.5446  369.2967
射出瞳位置    -27.6839  -27.2556  -62.1438
前側主点位置   30.1508  111.4050  303.6364
後側主点位置   93.8298   82.3571   22.6376
単レンズデータ
レンズ     始面     焦点距離
1         1     -193.9699
2         3      101.7071
3         5      116.2274
4         7      -21.1336
5         9      -10.5745
6        11       10.6199
7        13      -23.2987
8        16       24.0690
9        18       15.6218
10        20      -10.6650
11        22       17.3662
12        24      -40.0000
13        26       12.5150
14        28      -13.1019
ズームレンズ群データ
群   始面    焦点距離  レンズ構成長    前側主点位置  後側主点位置
1      1    76.79698    12.99320         2.82005       7.38914
2      7    -9.72035    14.58570         3.90761       8.74199
3     15    16.16441    16.53520         7.19737       7.61315
4     24   -39.99998     0.50000         0.44570       0.61047
5     26    12.51498     2.84390         1.00730       1.93638
6     28   -13.10188     2.87000         0.23465       0.89278
ズームレンズ群倍率
群   始面    広角       中間       望遠
1      1    0.00000    0.00000    0.00000
2      7   -0.17034   -0.33903   -1.30944
3     15   -0.35092   -0.90045   -0.81534
4     24    1.37771    1.28319    1.69631
5     26    0.60319    0.59743    0.60992
6     28    1.21623    1.21688    1.21541
【０１２１】
以下の表１６に、各数値実施例のズームレンズ系における各条件の対応値を示す。
【０１２２】
表  １６（条件の対応値）
【表１】
2014006653.tif 000004
【０１２３】
以上のように、本開示における技術の例示として、実施の形態を説明した。そのために、添付図面および詳細な説明を提供した。
【０１２４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２５】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２６】
本開示は、デジタルカメラ、スマートフォン等の携帯情報端末のカメラ、監視システムにおける監視カメラ、Ｗｅｂカメラ、車載カメラ等のデジタル入力装置に適用可能である。特に本開示は、デジタルカメラ等の高画質が要求される撮影光学系に適用可能である。
【符号の説明】
【０１２７】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
2014006653.tif 000005
【図２】
2014006653.tif 000006
【図３】
2014006653.tif 000007
【図４】
2014006653.tif 000008
【図５】
2014006653.tif 000009
【図６】
2014006653.tif 000010
【図７】
2014006653.tif 000011
【図８】
2014006653.tif 000012
【図９】
2014006653.tif 000013
【図１０】
2014006653.tif 000014
【図１１】
2014006653.tif 000015
【図１２】
2014006653.tif 000016
【図１３】
2014006653.tif 000017
【図１４】
2014006653.tif 000018
【図１５】
2014006653.tif 000019
【図１６】
2014006653.tif 000020
【手続補正書】
【提出日】平成26年12月4日(2014.12.4)
【手続補正１】
【補正対象書類名】明細書
【補正対象項目名】全文
【補正方法】変更
【補正の内容】
【発明の詳細な説明】
【技術分野】
【０００１】
本開示は、ズームレンズ系、撮像装置及びカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。
【０００３】
特許文献１〜４は、第１レンズ群が正のパワーを有し、第２レンズ群が負のパワーを有し、第３レンズ群が正のパワーを有する６群構成であり、ズーミングの際に第１レンズ群乃至第３レンズ群が移動するレンズ系を開示している。
【０００４】
特許文献５は、第１レンズ群が正のパワーを有し、第２レンズ群が負のパワーを有し、第３レンズ群が正のパワーを有し、第４レンズ群が負のパワーを有し、第５レンズ群が正のパワーを有し、第６レンズ群が負のパワーを有する６群構成であり、これらのレンズ群の間隔を変化させて変倍を行い、第４レンズ群を光軸に沿って移動させてフォーカシングを行うレンズ系を開示している。
【先行技術文献】
【特許文献】
【０００５】
【特許文献１】特開２０１１−２０９３４７号公報
【特許文献２】特開２０１１−１２３３３７号公報
【特許文献３】特開２０１１−０９０１９０号公報
【特許文献４】特開２０１０−０３９２７１号公報
【特許文献５】特開２００６−２５１４６２号公報
【発明の概要】
【発明が解決しようとする課題】
【０００６】
本開示は、小型かつ高倍率でありながら、望遠端においても充分に明るく、解像度が高いズームレンズ系を提供する。また本開示は、該ズームレンズ系を含む撮像装置及び該撮像装置を備えたカメラを提供する。
【課題を解決するための手段】
【０００７】
（Ｉ）本開示におけるズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
第５レンズ群と、
第６レンズ群とからなり、
撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、
前記第４レンズ群を光軸に沿って移動させて、無限遠合焦状態から近接物体合焦状態へのフォーカシングを行う
ことを特徴とする。
【０００８】
本開示における撮像装置は、
物体の光学的な像を電気的な画像信号として出力可能であり、
物体の光学的な像を形成するズームレンズ系と、
該ズームレンズ系により形成された光学的な像を電気的な画像信号に変換する撮像素子と
を備え、
前記ズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
第５レンズ群と、
第６レンズ群とからなり、
撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、
前記第４レンズ群を光軸に沿って移動させて、無限遠合焦状態から近接物体合焦状態へのフォーカシングを行う
ことを特徴とする。
【０００９】
本開示におけるカメラは、
物体の光学的な像を電気的な画像信号に変換し、変換された画像信号の表示及び記憶の少なくとも一方を行い、
物体の光学的な像を形成するズームレンズ系と、該ズームレンズ系により形成された光学的な像を電気的な画像信号に変換する撮像素子とを含む撮像装置を備え、
前記ズームレンズ系は、
物体側から像側へと順に、
正のパワーを有する第１レンズ群と、
負のパワーを有する第２レンズ群と、
正のパワーを有する第３レンズ群と、
負のパワーを有する第４レンズ群と、
第５レンズ群と、
第６レンズ群とからなり、
撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、
前記第４レンズ群を光軸に沿って移動させて、無限遠合焦状態から近接物体合焦状態へのフォーカシングを行う
ことを特徴とする。
【００１０】
（II）本開示におけるズームレンズ系は、
物体側から像側へと順に、少なくとも
正のパワーを有する第１レンズ群と、
負のパワーを有する第２レンズ群と、
正のパワーを有する第３レンズ群とを備え、
撮像時の広角端から望遠端へのズーミングの際に、前記第１レンズ群、前記第２レンズ群及び前記第３レンズ群が光軸に沿って移動し、
以下の条件（２）、（３）及び（４）：
０．７＜ＬＴ／ｆＴ＜１．５  ・・・（２）
ｆＴ／ｆＷ＞１２．０  ・・・（３）
ＦＴ／ＦＷ＜１．４  ・・・（４）
（ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である）
を満足する
ことを特徴とする。
【００１１】
本開示における撮像装置は、
物体の光学的な像を電気的な画像信号として出力可能であり、
物体の光学的な像を形成するズームレンズ系と、
該ズームレンズ系により形成された光学的な像を電気的な画像信号に変換する撮像素子と
を備え、
前記ズームレンズ系は、
物体側から像側へと順に、少なくとも
正のパワーを有する第１レンズ群と、
負のパワーを有する第２レンズ群と、
正のパワーを有する第３レンズ群とを備え、
撮像時の広角端から望遠端へのズーミングの際に、前記第１レンズ群、前記第２レンズ群及び前記第３レンズ群が光軸に沿って移動し、
以下の条件（２）、（３）及び（４）：
０．７＜ＬＴ／ｆＴ＜１．５  ・・・（２）
ｆＴ／ｆＷ＞１２．０  ・・・（３）
ＦＴ／ＦＷ＜１．４  ・・・（４）
（ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である）
を満足する
ことを特徴とする。
【００１２】
本開示におけるカメラは、
物体の光学的な像を電気的な画像信号に変換し、変換された画像信号の表示及び記憶の少なくとも一方を行い、
物体の光学的な像を形成するズームレンズ系と、該ズームレンズ系により形成された光学的な像を電気的な画像信号に変換する撮像素子とを含む撮像装置を備え、
前記ズームレンズ系は、
物体側から像側へと順に、少なくとも
正のパワーを有する第１レンズ群と、
負のパワーを有する第２レンズ群と、
正のパワーを有する第３レンズ群とを備え、
撮像時の広角端から望遠端へのズーミングの際に、前記第１レンズ群、前記第２レンズ群及び前記第３レンズ群が光軸に沿って移動し、
以下の条件（２）、（３）及び（４）：
０．７＜ＬＴ／ｆＴ＜１．５  ・・・（２）
ｆＴ／ｆＷ＞１２．０  ・・・（３）
ＦＴ／ＦＷ＜１．４  ・・・（４）
（ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である）
を満足する
ことを特徴とする。
【発明の効果】
【００１３】
本開示におけるズームレンズ系は、小型かつ高倍率でありながら、望遠端においても充分に明るく、解像度が高い。
【図面の簡単な説明】
【００１４】
【図１】実施の形態１（数値実施例１）に係るズームレンズ系の無限遠合焦状態を示すレンズ配置図
【図２】数値実施例１に係るズームレンズ系の無限遠合焦状態の縦収差図
【図３】数値実施例１に係るズームレンズ系の望遠端における、像ぶれ補正を行っていない基本状態及び像ぶれ補正状態での横収差図
【図４】実施の形態２（数値実施例２）に係るズームレンズ系の無限遠合焦状態を示すレンズ配置図
【図５】数値実施例２に係るズームレンズ系の無限遠合焦状態の縦収差図
【図６】数値実施例２に係るズームレンズ系の望遠端における、像ぶれ補正を行っていない基本状態及び像ぶれ補正状態での横収差図
【図７】実施の形態３（数値実施例３）に係るズームレンズ系の無限遠合焦状態を示すレンズ配置図
【図８】数値実施例３に係るズームレンズ系の無限遠合焦状態の縦収差図
【図９】数値実施例３に係るズームレンズ系の望遠端における、像ぶれ補正を行っていない基本状態及び像ぶれ補正状態での横収差図
【図１０】実施の形態４（数値実施例４）に係るズームレンズ系の無限遠合焦状態を示すレンズ配置図
【図１１】数値実施例４に係るズームレンズ系の無限遠合焦状態の縦収差図
【図１２】数値実施例４に係るズームレンズ系の望遠端における、像ぶれ補正を行っていない基本状態及び像ぶれ補正状態での横収差図
【図１３】実施の形態５（数値実施例５）に係るズームレンズ系の無限遠合焦状態を示すレンズ配置図
【図１４】数値実施例５に係るズームレンズ系の無限遠合焦状態の縦収差図
【図１５】数値実施例５に係るズームレンズ系の望遠端における、像ぶれ補正を行っていない基本状態及び像ぶれ補正状態での横収差図
【図１６】実施の形態６に係るデジタルスチルカメラの概略構成図
【発明を実施するための形態】
【００１５】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、発明者らは、当業者が本開示を充分に理解するために添付図面および以下の説明を提供するのであって、これらによって請求の範囲に記載の主題を限定することを意図するものではない。
【００１７】
（実施の形態１〜５）
図１、４、７、１０及び１３は、各々実施の形態１〜５に係るズームレンズ系のレンズ配置図であり、いずれも無限遠合焦状態にあるズームレンズ系を表している。
【００１８】
各図において、（ａ）図は広角端（最短焦点距離状態：焦点距離ｆＷ）のレンズ構成、（ｂ）図は中間位置（中間焦点距離状態：焦点距離ｆＭ＝√（ｆＷ＊ｆＴ））のレンズ構成、（ｃ）図は望遠端（最長焦点距離状態：焦点距離ｆＴ）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１９】
さらに各図において、レンズ群に付された矢印は、無限遠合焦状態から近接物体合焦状態へのフォーカシングを表す。すなわち、図１、４、７、１０及び１３では、後述する第４レンズ群Ｇ４が無限遠合焦状態から近接物体合焦状態へのフォーカシングの際に移動する方向を示している。
【００２０】
各実施の形態に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、負のパワーを有する第４レンズ群Ｇ４と、正のパワーを有する第５レンズ群Ｇ５と、負のパワーを有する第６レンズ群Ｇ６とを備える。該第３レンズ群Ｇ３の物体側には、開口絞りＡが設けられている。
【００２１】
ズーミングに際して、各レンズ群の間隔、すなわち、第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、第４レンズ群Ｇ４と第５レンズ群Ｇ５との間隔、及び第５レンズ群Ｇ５と第６レンズ群Ｇ６との間隔がいずれも変化するように、第１レンズ群Ｇ１乃至第５レンズ群Ｇ５は光軸に沿ってそれぞれ移動する。各実施の形態に係るズームレンズ系は、これら各レンズ群を所望のパワー配置にすることにより、高い光学性能を保持しつつ、レンズ系全体の小型化を可能にしている。
【００２２】
図１、４、７、１０及び１３において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表し、該像面Ｓの物体側（像面Ｓと第６レンズ群Ｇ６の最像側レンズ面との間）には、光学的ローパスフィルタや撮像素子のフェースプレート等と等価な平行平板Ｐが設けられている。
【００２３】
（実施の形態１）
図１に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００２４】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００２５】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００２６】
第４レンズ群Ｇ４は、物体側に凸面を向けた負メニスカス形状の第１２レンズ素子Ｌ１２のみからなる。
【００２７】
第５レンズ群Ｇ５は、両凸形状の第１３レンズ素子Ｌ１３のみからなる。この第１３レンズ素子Ｌ１３は、その両面が非球面である。
【００２８】
第６レンズ群Ｇ６は、両凹形状の第１４レンズ素子Ｌ１４のみからなる。この第１４レンズ素子Ｌ１４は、その物体側面が非球面である。
【００２９】
実施の形態１に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、物体側に凸の軌跡を描いて物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００３０】
さらに、実施の形態１に係るズームレンズ系において、無限遠合焦状態から近接物体合焦状態へのフォーカシングの際に、第４レンズ群Ｇ４が光軸に沿って像側へ移動する。
【００３１】
（実施の形態２）
図４に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００３２】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００３３】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００３４】
第４レンズ群Ｇ４は、物体側に凸面を向けた負メニスカス形状の第１２レンズ素子Ｌ１２のみからなる。
【００３５】
第５レンズ群Ｇ５は、両凸形状の第１３レンズ素子Ｌ１３のみからなる。この第１３レンズ素子Ｌ１３は、その両面が非球面である。
【００３６】
第６レンズ群Ｇ６は、両凹形状の第１４レンズ素子Ｌ１４のみからなる。この第１４レンズ素子Ｌ１４は、その物体側面が非球面である。
【００３７】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、物体側に凸の軌跡を描いて物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００３８】
さらに、実施の形態２に係るズームレンズ系において、無限遠合焦状態から近接物体合焦状態へのフォーカシングの際に、第４レンズ群Ｇ４が光軸に沿って像側へ移動する。
【００３９】
（実施の形態３）
図７に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４０】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００４１】
第３レンズ群Ｇ３は、物体側から像側へと順に、物体側に凸面を向けた正メニスカス形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００４２】
第４レンズ群Ｇ４は、物体側に凸面を向けた負メニスカス形状の第１２レンズ素子Ｌ１２のみからなる。
【００４３】
第５レンズ群Ｇ５は、両凸形状の第１３レンズ素子Ｌ１３のみからなる。この第１３レンズ素子Ｌ１３は、その両面が非球面である。
【００４４】
第６レンズ群Ｇ６は、両凹形状の第１４レンズ素子Ｌ１４のみからなる。この第１４レンズ素子Ｌ１４は、その物体側面が非球面である。
【００４５】
実施の形態３に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、物体側に凸の軌跡を描いて物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００４６】
さらに、実施の形態３に係るズームレンズ系において、無限遠合焦状態から近接物体合焦状態へのフォーカシングの際に、第４レンズ群Ｇ４が光軸に沿って像側へ移動する。
【００４７】
（実施の形態４）
図１０に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４８】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、両凹形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００４９】
第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００５０】
第４レンズ群Ｇ４は、両凹形状の第１２レンズ素子Ｌ１２のみからなる。
【００５１】
第５レンズ群Ｇ５は、両凸形状の第１３レンズ素子Ｌ１３のみからなる。この第１３レンズ素子Ｌ１３は、その両面が非球面である。
【００５２】
第６レンズ群Ｇ６は、両凹形状の第１４レンズ素子Ｌ１４のみからなる。この第１４レンズ素子Ｌ１４は、その物体側面が非球面である。
【００５３】
実施の形態４に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、像側に凸の軌跡を描いて物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００５４】
さらに、実施の形態４に係るズームレンズ系において、無限遠合焦状態から近接物体合焦状態へのフォーカシングの際に、第４レンズ群Ｇ４が光軸に沿って像側へ移動する。
【００５５】
（実施の形態５）
図１３に示すように、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００５６】
第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、第５レンズ素子Ｌ５と第６レンズ素子Ｌ６とは接合されており、後述する対応数値実施例における面データでは、これら第５レンズ素子Ｌ５と第６レンズ素子Ｌ６との間の接着剤層に面番号１０が付与されている。また、第４レンズ素子Ｌ４は、その両面が非球面である。
【００５７】
第３レンズ群Ｇ３は、物体側から像側へと順に、両凸形状の第８レンズ素子Ｌ８と、両凸形状の第９レンズ素子Ｌ９と、両凹形状の第１０レンズ素子Ｌ１０と、両凸形状の第１１レンズ素子Ｌ１１とからなる。これらのうち、第９レンズ素子Ｌ９と第１０レンズ素子Ｌ１０とは接合されており、後述する対応数値実施例における面データでは、これら第９レンズ素子Ｌ９と第１０レンズ素子Ｌ１０との間の接着剤層に面番号１９が付与されている。また、第８レンズ素子Ｌ８は、その両面が非球面であり、第１１レンズ素子Ｌ１１は、その両面が非球面である。
【００５８】
第４レンズ群Ｇ４は、物体側に凸面を向けた負メニスカス形状の第１２レンズ素子Ｌ１２のみからなる。
【００５９】
第５レンズ群Ｇ５は、両凸形状の第１３レンズ素子Ｌ１３のみからなる。この第１３レンズ素子Ｌ１３は、その両面が非球面である。
【００６０】
第６レンズ群Ｇ６は、両凹形状の第１４レンズ素子Ｌ１４のみからなる。この第１４レンズ素子Ｌ１４は、その物体側面が非球面である。
【００６１】
実施の形態５に係るズームレンズ系において、撮像時の広角端から望遠端へのズーミングの際に、第１レンズ群Ｇ１は、像側に凸の軌跡を描いて物体側へ移動し、第２レンズ群Ｇ２は、像側に凸の軌跡を描いて像側へ移動し、第３レンズ群Ｇ３は、略単調に物体側へ移動し、第４レンズ群Ｇ４は、像側に凸の軌跡を描いて物体側へ移動し、第５レンズ群Ｇ５は、略単調に像側へ移動し、第６レンズ群Ｇ６は、像面Ｓに対して固定されている。すなわち、ズーミングに際して、第１レンズ群Ｇ１と第２レンズ群Ｇ２との間隔が増大し、第２レンズ群Ｇ２と第３レンズ群Ｇ３との間隔が減少し、望遠端での第３レンズ群Ｇ３と第４レンズ群Ｇ４との間隔が広角端での該間隔よりも大きくなり、第４レンズ群Ｇ４と第５レンズ群Ｇ５との間隔が変化し、第５レンズ群Ｇ５と第６レンズ群Ｇ６との間隔が減少するように、第１レンズ群Ｇ１乃至第５レンズ群Ｇ５が光軸に沿ってそれぞれ移動する。
【００６２】
さらに、実施の形態５に係るズームレンズ系において、無限遠合焦状態から近接物体合焦状態へのフォーカシングの際に、第４レンズ群Ｇ４が光軸に沿って像側へ移動する。
【００６３】
実施の形態１〜５に係るズームレンズ系では、第４レンズ群Ｇ４が負のパワーを有し、第５レンズ群Ｇ５が正のパワーを有し、第６レンズ群Ｇ６が負のパワーを有するので、ズーム全域に渡って諸収差を良好に補正することができ、高性能を維持しながらさらなるコンパクト化が可能である。
【００６４】
前記したように、実施の形態１〜５に係るズームレンズ系では、第４レンズ群Ｇ４が負のパワーを有し、第５レンズ群Ｇ５が正のパワーを有し、第６レンズ群Ｇ６が負のパワーを有するが、本開示において、第３レンズ群Ｇ３よりも像側に配置されるレンズ群のパワーには特に限定がない。
【００６５】
実施の形態１〜５に係るズームレンズ系では、第５レンズ群Ｇ５及び第６レンズ群Ｇ６がいずれも、１枚のレンズ素子で構成されるので、さらなるコンパクト化が可能である。
【００６６】
前記したように、実施の形態１〜５に係るズームレンズ系では、第５レンズ群Ｇ５及び第６レンズ群Ｇ６がいずれも、１枚のレンズ素子で構成されるが、本開示において、第５レンズ群Ｇ５及び第６レンズ群Ｇ６を構成するレンズ素子の数には特に限定がない。
【００６７】
実施の形態１〜５に係るズームレンズ系では、撮像時の広角端から望遠端へのズーミングの際に、望遠端での第３レンズ群Ｇ３と第４レンズ群Ｇ４との間隔が、広角端での該間隔よりも大きくなるように、第１レンズ群Ｇ１乃至第４レンズ群Ｇ４が光軸に沿って移動するので、第３レンズ群Ｇ３及び第４レンズ群Ｇ４での変倍作用を大きくすることができ、高倍率を達成しながら、かつコンパクト化が可能である。
【００６８】
実施の形態１〜５に係るズームレンズ系では、第４レンズ群Ｇ４を光軸に沿って移動させて、無限遠合焦状態から近接物体合焦状態へのフォーカシングを行うので、無限遠合焦状態及び近接物体合焦状態での第４レンズ群Ｇ４の移動量を小さくすることができ、収差性能の変動を抑えることが可能である。また、コンパクト化にも寄与させることが可能である。
【００６９】
実施の形態１〜５に係るズームレンズ系では、第３レンズ群Ｇ３の物体側に開口絞りＡが配置されており、撮像時の広角端から望遠端へのズーミングの際に、該開口絞りＡは該第３レンズ群Ｇ３と一体となって光軸に沿って移動するので、収差性能を良好に補正することと、コンパクト化とが可能となる。具体的には、広角端で開口絞りＡと第３レンズ群Ｇ３との間隔を開けると、第３レンズ群Ｇ３内を通る光束が広がり、諸収差、特に球面収差を抑制することが困難となる。また、望遠端で開口絞りＡと第３レンズ群Ｇ３との間隔を開けると、第２レンズ群Ｇ２と第３レンズ群Ｇ３との間隔が広がることになり、望遠端でのレンズ全長も長くなることから、コンパクト化が困難となる。
【００７０】
なお、開放Ｆ値を決定する開口絞りＡの径は、広角端での値と望遠端での値とが同じであってもよく、異なっていてもよい。
【００７１】
実施の形態１〜５に係るズームレンズ系では、第３レンズ群Ｇ３が、像のぶれを光学的に補正するために、光軸に対して垂直な方向に移動可能に構成された像ぶれ補正レンズ群であり、該像ぶれ補正レンズ群を光軸に対して垂直な方向に移動させることによって、全系の振動による像点移動を補正する、すなわち、手ぶれ、振動等による像のぶれを光学的に補正することができる。
【００７２】
全系の振動による像点移動を補正する際に、像ぶれ補正レンズ群が光軸に対して垂直な方向に移動することにより、ズームレンズ系全体の大型化を抑制してコンパクトに構成しながら、偏心コマ収差や偏心非点収差が小さい優れた結像特性を維持して像ぶれの補正を行うことができる。
【００７３】
以上のように、本出願において開示する技術の例示として、実施の形態１〜５を説明した。しかしながら、本開示における技術は、これに限定されず、適宜、変更、置き換え、付加、省略などを行った実施の形態にも適用可能である。
【００７４】
以下、例えば実施の形態１〜５に係るズームレンズ系のごときズームレンズ系が満足することが可能な条件を説明する。なお、各実施の形態に係るズームレンズ系に対して、複数の可能な条件が規定されるが、これら複数の条件すべてを満足するズームレンズ系の構成が最も効果的である。しかしながら、個別の条件を満足することにより、それぞれ対応する効果を奏するズームレンズ系を得ることも可能である。
【００７５】
例えば実施の形態１〜５に係るズームレンズ系のように、物体側から像側へと順に、正のパワーを有する第１レンズ群と、負のパワーを有する第２レンズ群と、正のパワーを有する第３レンズ群と、負のパワーを有する第４レンズ群と、第５レンズ群と、第６レンズ群とからなり、撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、前記第４レンズ群を光軸に沿って移動させて、無限遠合焦状態から近接物体合焦状態へのフォーカシングを行うズームレンズ系は、以下の条件（１）を満足することが可能である。
０．０５＜Ｄ４／ｆＴ＜０．２０  ・・・（１）
ここで、
Ｄ４：撮像時の広角端から望遠端へのズーミングの際の、第４レンズ群の移動量、
ｆＴ：望遠端における全系の焦点距離
である。
【００７６】
前記条件（１）は、ズーミングの際の第４レンズ群の移動量と望遠端における全系の焦点距離との比を規定するための条件である。条件（１）の下限を下回ると、第４レンズ群の移動量が小さくなり過ぎ、第４レンズ群での変倍作用が小さくなり過ぎる。その結果、第４レンズ群以外のレンズ群で変倍作用を負担することになり、全系に渡っての収差補正が困難となる。また、第４レンズ群以外のレンズ群の移動量が大きくなり、レンズ全長も大きくなり過ぎることから、コンパクトなレンズ鏡筒や撮像装置、カメラを提供することが困難となる。逆に条件（１）の上限を上回ると、第４レンズ群の移動量が大きくなり過ぎ、色収差や像面湾曲等の収差を全系に渡って良好に補正することが困難となる。また、第４レンズ群の移動量が大きくなり、レンズ全長も大きくなり過ぎることから、コンパクトなレンズ鏡筒や撮像装置、カメラを提供することが困難となる。
【００７７】
例えば実施の形態１〜５に係るズームレンズ系のように、物体側から像側へと順に、少なくとも、正のパワーを有する第１レンズ群と、負のパワーを有する第２レンズ群と、正のパワーを有する第３レンズ群とを備え、撮像時の広角端から望遠端へのズーミングの際に、前記第１レンズ群、前記第２レンズ群及び前記第３レンズ群が光軸に沿って移動するズームレンズ系は、以下の条件（２）、（３）及び（４）を満足する。
０．７＜ＬＴ／ｆＴ＜１．５  ・・・（２）
ｆＴ／ｆＷ＞１２．０  ・・・（３）
ＦＴ／ＦＷ＜１．４  ・・・（４）
ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である。
【００７８】
前記条件（２）は、望遠端におけるレンズ全長と望遠端における全系の焦点距離との比を規定するための条件である。条件（２）の下限を下回ると、望遠端におけるレンズ全長が小さくなり過ぎ、望遠端における収差補正を良好に行うことが困難となる。逆に条件（２）の上限を上回ると、望遠端におけるレンズ全長が大きくなり過ぎ、コンパクトなレンズ鏡筒や撮像装置、カメラを提供することが困難となる。
【００７９】
以下の条件（２）’及び（２）’’の少なくとも１つを満足することにより、前記効果をさらに奏功させることができる。
０．９＜ＬＴ／ｆＴ  ・・・（２）’
ＬＴ／ｆＴ＜１．３  ・・・（２）’’
【００８０】
前記条件（３）は、望遠端における全系の焦点距離と広角端における全系の焦点距離との比、すなわちズーム比を規定するための条件である。条件（３）を満足しない場合には、ズーム比が小さく、充分な倍率を有するズームレンズ系や撮像装置、カメラを提供することが困難となる。
【００８１】
以下の条件（３）’を満足することにより、前記効果をさらに奏功させることができる。
ｆＴ／ｆＷ＞２０．０  ・・・（３）’
【００８２】
前記条件（４）は、望遠端におけるＦナンバーと広角端におけるＦナンバーとの比を規定するための条件である。条件（４）を満足しない場合には、広角端におけるＦナンバーに対して望遠端におけるＦナンバーが大きくなり過ぎ、望遠端において充分に明るいズームレンズ系や撮像装置、カメラを提供することが困難となる。
【００８３】
以下の条件（４）’を満足することにより、前記効果をさらに奏功させることができる。
ＦＴ／ＦＷ＜１．２  ・・・（４）’
【００８４】
実施の形態１〜５に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善される。
【００８５】
さらに各実施の形態では、像面Ｓの物体側（像面Ｓと第６レンズ群Ｇ６の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００８６】
（実施の形態６）
図１６は、実施の形態６に係るデジタルスチルカメラの概略構成図である。図１６において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１６において、ズームレンズ系１は、第１レンズ群Ｇ１と、第２レンズ群Ｇ２と、開口絞りＡと、第３レンズ群Ｇ３と、第４レンズ群Ｇ４と、第５レンズ群Ｇ５と、第６レンズ群Ｇ６とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００８７】
鏡筒は、主鏡筒５と、移動鏡筒６と、円筒カム７とで構成されている。円筒カム７を回転させると、第１レンズ群Ｇ１、第２レンズ群Ｇ２、開口絞りＡと第３レンズ群Ｇ３、第４レンズ群Ｇ４、第５レンズ群Ｇ５及び第６レンズ群Ｇ６が、撮像素子２を基準にした所定の位置に移動し、広角端から望遠端までのズーミングを行うことができる。第４レンズ群Ｇ４はフォーカス調整用モータにより光軸方向に移動可能である。
【００８８】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１６に示したデジタルスチルカメラには、実施の形態１に係るズームレンズ系の替わりに実施の形態２〜５に係るズームレンズ系のいずれかを用いてもよい。また、図１６に示したデジタルスチルカメラの光学系は、動画像を対象とするデジタルビデオカメラに用いることもできる。この場合、静止画像だけでなく、解像度の高い動画像を撮影することができる。
【００８９】
なお、本実施の形態６に係るデジタルスチルカメラでは、ズームレンズ系１として実施の形態１〜５に係るズームレンズ系を示したが、これらのズームレンズ系は、全てのズーミング域を使用する必要はない。すなわち、所望のズーミング域に応じて、光学性能が確保されている範囲を切り出し、実施の形態１〜５で説明したズームレンズ系よりも低倍率のズームレンズ系として使用してもよい。
【００９０】
さらに、実施の形態６では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態６において、第２レンズ群Ｇ２全体、第３レンズ群Ｇ３全体、第２レンズ群Ｇ２の一部、第３レンズ群Ｇ３の一部等のズームレンズ系を構成している一部のレンズ群を、沈胴時に光軸上から退避させる、いわゆるスライディング鏡筒にズームレンズ系を適用してもよい。
【００９１】
また、以上説明した実施の形態１〜５に係るズームレンズ系と、ＣＣＤやＣＭＯＳ等の撮像素子とから構成される撮像装置を、スマートフォン等の携帯情報端末、監視システムにおける監視カメラ、Ｗｅｂカメラ、車載カメラ等に適用することもできる。
【００９２】
以上のように、本出願において開示する技術の例示として、実施の形態６を説明した。しかしながら、本開示における技術は、これに限定されず、適宜、変更、置き換え、付加、省略などを行った実施の形態にも適用可能である。
【００９３】
以下、実施の形態１〜５に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014006653.tif 000021
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００９４】
図２、５、８、１１及び１４は、各々数値実施例１〜５に係るズームレンズ系の縦収差図である。
【００９５】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００９６】
図３、６、９、１２及び１５は、各々数値実施例１〜５に係るズームレンズ系の望遠端における横収差図である。
【００９７】
各横収差図において、上段３つの収差図は、望遠端における像ぶれ補正を行っていない基本状態、下段３つの収差図は、像ぶれ補正レンズ群を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【００９８】
なお、各数値実施例のズームレンズ系について、望遠端における、像ぶれ補正状態での像ぶれ補正レンズ群の光軸と垂直な方向への移動量は、以下に示すとおりである。
数値実施例１  ０．２１４ｍｍ
数値実施例２  ０．２１０ｍｍ
数値実施例３  ０．２１５ｍｍ
数値実施例４  ０．２５０ｍｍ
数値実施例５  ０．２３７ｍｍ
【００９９】
撮影距離が∞で望遠端において、ズームレンズ系が０．３°だけ傾いた場合の像偏心量は、像ぶれ補正レンズ群が光軸と垂直な方向に上記の各値だけ平行移動するときの像偏心量に等しい。
【０１００】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１０１】
（数値実施例１）
数値実施例１のズームレンズ系は、図１に示した実施の形態１に対応する。数値実施例１のズームレンズ系の面データを表１に、非球面データを表２に、各種データを表３に示す。
【０１０２】
表  １（面データ）
面番号         r           d           nd         vd                
物面             ∞                                               
1         80.38640     1.40000     1.84666    23.8               
2         53.08730     0.01000     1.56732    42.8               
3         53.08730     5.91570     1.49700    81.6               
4       -427.75360     0.15000                                   
5         47.31150     3.54490     1.59282    68.6               
6        127.17770        可変                                   
7*      1000.00000     0.70000     1.88202    37.2               
8*        12.38510     4.58100                                   
9        -28.39050     0.55000     1.77250    49.6               
10         12.36070     0.01000     1.56732    42.8               
11         12.36070     3.67970     1.92286    20.9               
12        -51.96170     1.26980                                   
13        -17.75000     0.55000     1.84666    23.8               
14        -36.34810        可変                                   
15(絞り)           ∞     1.00000                                   
16*        14.09100     2.63060     1.58332    59.1               
17*        73.19700     2.44310                                   
18         14.31860     4.20000     1.48749    70.4               
19        -14.31860     0.01000     1.56732    42.8               
20        -14.31860     0.80000     1.64769    33.8               
21         14.31860     2.03170                                   
22*        14.05690     3.80690     1.51776    69.9               
23*       -20.22820        可変                                   
24         90.88390     0.99560     1.49700    81.6               
25         14.50130        可変                                   
26*        10.75510     3.30000     1.51776    69.9               
27*       -15.56410        可変                                   
28*       -11.55200     0.87360     1.54410    56.1               
29         20.74910     1.00000                                   
30               ∞     0.78000     1.51680    64.2               
31               ∞        (BF)                                   
像面             ∞                                               
【０１０３】
表  ２（非球面データ）
第7面
K= 0.00000E+00, A4= 5.35704E-05, A6= 4.65344E-07, A8=-7.25267E-09 
A10= 2.22110E-11, A12= 8.30852E-15, A14= 0.00000E+00 
第8面
K= 0.00000E+00, A4= 5.50272E-05, A6= 3.09902E-07, A8= 3.07019E-08 
A10=-2.86257E-10, A12=-4.52816E-13, A14= 0.00000E+00 
第16面
K= 0.00000E+00, A4= 3.48800E-06, A6=-1.42689E-06, A8= 1.35938E-07 
A10=-3.63061E-09, A12= 4.20870E-11, A14=-1.53813E-16 
第17面
K= 0.00000E+00, A4= 2.92293E-05, A6=-2.39842E-06, A8= 2.21752E-07 
A10=-6.29904E-09, A12= 7.24108E-11, A14=-5.87135E-16 
第22面
K= 0.00000E+00, A4=-1.48035E-04, A6=-4.24178E-07, A8= 5.45212E-08 
A10=-1.39274E-09, A12= 0.00000E+00, A14= 0.00000E+00 
第23面
K= 0.00000E+00, A4= 2.14264E-05, A6=-4.49634E-07, A8= 4.61173E-08 
A10=-1.19672E-09, A12= 0.00000E+00, A14= 0.00000E+00 
第26面
K= 0.00000E+00, A4=-1.62288E-04, A6= 6.30224E-06, A8=-2.17877E-07 
A10= 4.94955E-10, A12= 0.00000E+00, A14= 0.00000E+00 
第27面
K= 0.00000E+00, A4= 2.37250E-04, A6= 7.41232E-06, A8=-4.10461E-07 
A10= 4.09234E-09, A12= 0.00000E+00, A14= 0.00000E+00 
第28面
K= 0.00000E+00, A4= 1.55938E-03, A6=-4.44918E-05, A8= 1.30805E-06 
A10=-1.79649E-08, A12= 0.00000E+00, A14= 0.00000E+00
【０１０４】
表  ３（各種データ）
ズーム比    22.21907
広角      中間      望遠
焦点距離       4.6399   21.8698  103.0950
Ｆナンバー     2.90063   2.90020   2.90012
画角        40.7907   10.4346    2.2365
像高         3.4100    3.9020    3.9020
レンズ全長     89.3284   96.5798  125.0498
ＢＦ        0.86417   0.87415   0.84363
d6           0.5000   22.7670   51.7865 
d14         32.7666    5.2446    0.5000 
d23          1.5008   14.2646    6.7433 
d25          4.7802    5.2935   18.1364 
d27          2.6840    1.9034    0.8074 
入射瞳位置     20.8000   65.3027  331.5043
射出瞳位置    -25.7393  -33.0473  -57.2754
前側主点位置   24.6307   73.0726  251.7233
後側主点位置   84.6884   74.7100   21.9548
単レンズデータ
レンズ     始面     焦点距離
1         1     -189.0808
2         3       95.4127
3         5      125.0190
4         7      -14.2225
5         9      -11.0823
6        11       11.1255
7        13      -41.5364
8        16       29.4329
9        18       15.4276
10        20      -10.9335
11        22       16.6488
12        24      -34.8681
13        26       12.8328
14        28      -13.5096
ズームレンズ群データ
群   始面    焦点距離  レンズ構成長    前側主点位置  後側主点位置
1      1    76.99427    11.02060         2.24926       6.15356
2      7    -9.91095    11.34050         1.67140       4.91428
3     15    16.66467    16.92230         7.57014       8.08711
4     24   -34.86815     0.99560         0.79477       1.12241
5     26    12.83282     3.30000         0.92819       1.95678
6     28   -13.50956     2.65360         0.20043       0.77936
ズームレンズ群倍率
群   始面    広角       中間       望遠
1      1    0.00000    0.00000    0.00000
2      7   -0.16506   -0.26235   -1.13160
3     15   -0.40016   -1.10455   -0.87904
4     24    1.53837    1.47178    1.74972
5     26    0.49313    0.55342    0.64048
6     28    1.20270    1.20344    1.20118
【０１０５】
（数値実施例２）
数値実施例２のズームレンズ系は、図４に示した実施の形態２に対応する。数値実施例２のズームレンズ系の面データを表４に、非球面データを表５に、各種データを表６に示す。
【０１０６】
表  ４（面データ）
面番号         r           d           nd         vd                
物面             ∞                                               
1         84.41040     1.40000     1.84666    23.8               
2         54.78730     0.01000     1.56732    42.8               
3         54.78730     5.47000     1.49700    81.6               
4       -307.33830     0.15000                                   
5         44.96750     3.43000     1.59282    68.6               
6        107.82550        可変                                   
7*       283.42180     0.70000     1.80500    41.0               
8*        12.27460     5.16690                                   
9        -26.03490     0.65000     1.77250    49.6               
10         12.39940     0.01000     1.56732    42.8               
11         12.39940     3.66000     1.92286    20.9               
12        -63.96980     1.41520                                   
13        -17.65500     0.55000     1.84666    23.8               
14        -39.04090        可変                                   
15(絞り)           ∞     1.00000                                   
16*        14.59700     2.66000     1.58332    59.1               
17*       195.60410     2.63140                                   
18         14.35680     4.20000     1.48749    70.4               
19        -13.66430     0.01000     1.56732    42.8               
20        -13.66430     0.80000     1.64769    33.8               
21         14.76440     2.90000                                   
22*        13.37660     3.48000     1.51776    69.9               
23*       -25.00000        可変                                   
24         21.33210     0.50000     1.49700    81.6               
25          9.38540        可変                                   
26*        18.06850     3.30000     1.54410    56.1               
27*       -17.97860        可変                                   
28*       -11.26470     1.09000     1.54410    56.1               
29        440.74570     1.00000                                   
30               ∞     0.78000     1.51680    64.2               
31               ∞        (BF)                                   
像面             ∞                                               
【０１０７】
表  ５（非球面データ）
第7面
K= 0.00000E+00, A4= 4.38493E-05, A6= 5.30075E-07, A8=-6.11003E-09 
A10= 1.52956E-11, A12= 8.30852E-15, A14= 0.00000E+00 
第8面
K= 0.00000E+00, A4= 5.58387E-05, A6= 5.27818E-07, A8= 2.21787E-08 
A10=-8.88913E-11, A12=-4.52816E-13, A14= 0.00000E+00 
第16面
K= 0.00000E+00, A4= 2.00544E-05, A6=-1.35728E-06, A8= 1.31657E-07 
A10=-3.41192E-09, A12= 4.20870E-11, A14=-1.53813E-16 
第17面
K= 0.00000E+00, A4= 4.71991E-05, A6=-2.53319E-06, A8= 2.18726E-07 
A10=-6.02035E-09, A12= 7.24108E-11, A14=-5.87135E-16 
第22面
K= 0.00000E+00, A4=-1.09419E-04, A6=-5.79182E-07, A8= 5.91557E-08 
A10=-1.17679E-09, A12= 0.00000E+00, A14= 0.00000E+00 
第23面
K= 0.00000E+00, A4= 5.14361E-05, A6=-3.30779E-07, A8= 4.96534E-08 
A10=-1.06024E-09, A12= 0.00000E+00, A14= 0.00000E+00 
第26面
K= 0.00000E+00, A4=-1.54005E-04, A6= 2.16390E-06, A8=-1.24191E-07 
A10= 1.33463E-09, A12= 0.00000E+00, A14= 0.00000E+00 
第27面
K= 0.00000E+00, A4= 1.04292E-04, A6= 8.68906E-06, A8=-3.82250E-07 
A10= 5.58455E-09, A12= 0.00000E+00, A14= 0.00000E+00 
第28面
K= 0.00000E+00, A4= 1.46492E-03, A6=-1.95582E-05, A8= 2.74882E-07 
A10=-4.53479E-10, A12= 0.00000E+00, A14= 0.00000E+00
【０１０８】
表  ６（各種データ）
ズーム比    22.22135
広角      中間      望遠
焦点距離       4.6398   21.8696  103.1025
Ｆナンバー     2.90008   2.89986   2.90043
画角        40.8126   10.3718    2.2358
像高         3.4100    3.9020    3.9020
レンズ全長     96.5170   95.5082  122.6972
ＢＦ        0.86490   0.86532   0.85221
d6           0.5000   22.0610   51.5230 
d14         39.0933    5.1449    0.5000 
d23          1.5016   16.1964    9.0765 
d25          5.3571    1.9960   12.9820 
d27          2.2366    2.2811    0.8000 
入射瞳位置     21.3078   63.9241  336.7968
射出瞳位置    -29.2375  -29.6516  -48.1944
前側主点位置   25.2325   70.1211  223.1641
後側主点位置   91.8772   73.6386   19.5947
単レンズデータ
レンズ     始面     焦点距離
1         1     -188.4726
2         3       94.0301
3         5      127.5279
4         7      -15.9566
5         9      -10.7932
6        11       11.5193
7        13      -38.5213
8        16       26.8964
9        18       15.1032
10        20      -10.8368
11        22       17.3675
12        24      -34.1949
13        26       17.1147
14        28      -20.1703
ズームレンズ群データ
群   始面    焦点距離  レンズ構成長    前側主点位置  後側主点位置
1      1    76.85520    10.46000         2.03474       5.76639
2      7    -9.53363    12.15210         2.33810       5.90644
3     15    16.70504    17.68140         8.18918       7.90966
4     24   -34.19489     0.50000         0.60480       0.76609
5     26    17.11471     3.30000         1.10696       2.19855
6     28   -20.17027     2.87000         0.01758       0.66802
ズームレンズ群倍率
群   始面    広角       中間       望遠
1      1    0.00000    0.00000    0.00000
2      7   -0.15945   -0.24938   -1.08746
3     15   -0.34892   -1.12980   -0.92136
4     24    1.45267    1.35751    1.58666
5     26    0.64839    0.64577    0.73289
6     28    1.15205    1.15207    1.15142
【０１０９】
（数値実施例３）
数値実施例３のズームレンズ系は、図７に示した実施の形態３に対応する。数値実施例３のズームレンズ系の面データを表７に、非球面データを表８に、各種データを表９に示す。
【０１１０】
表  ７（面データ）
面番号         r           d           nd         vd                
物面             ∞                                               
1         86.31960     1.40000     1.84666    23.8               
2         55.60180     0.01000     1.56732    42.8               
3         55.60180     5.47000     1.49700    81.6               
4       -279.47210     0.15000                                   
5         45.23330     3.43000     1.59282    68.6               
6        109.72110        可変                                   
7*       155.76370     0.70000     1.80500    41.0               
8*        12.04000     5.30310                                   
9        -25.63560     0.65000     1.77250    49.6               
10         12.07150     0.01000     1.56732    42.8               
11         12.07150     3.66000     1.92286    20.9               
12        -60.40720     1.52570                                   
13        -16.38790     0.55000     1.84666    23.8               
14        -33.25120        可変                                   
15(絞り)           ∞     1.00000                                   
16*        14.07800     2.66000     1.58332    59.1               
17*       110.60450     3.26150                                   
18         14.38670     4.20000     1.48749    70.4               
19        -12.40040     0.01000     1.56732    42.8               
20        -12.40040     0.80000     1.64769    33.8               
21         14.76440     2.90000                                   
22*        13.37660     3.48000     1.51776    69.9               
23*       -25.00000        可変                                   
24         39.03180     0.50000     1.49700    81.6               
25         13.11540        可変                                   
26*        12.27840     3.30000     1.54410    56.1               
27*       -12.33230        可変                                   
28*        -9.81250     1.09000     1.54410    56.1               
29         21.36130     1.00000                                   
30               ∞     0.78000     1.51680    64.2               
31               ∞        (BF)                                   
像面             ∞                                               
【０１１１】
表  ８（非球面データ）
第7面
K= 0.00000E+00, A4= 4.18016E-05, A6= 6.27207E-07, A8=-6.73152E-09 
A10= 1.63026E-11, A12= 8.30852E-15, A14= 0.00000E+00 
第8面
K= 0.00000E+00, A4= 5.07841E-05, A6= 6.06733E-07, A8= 2.61719E-08 
A10=-9.05126E-11, A12=-4.52816E-13, A14= 0.00000E+00 
第16面
K= 0.00000E+00, A4= 8.17589E-06, A6=-1.31105E-06, A8= 1.31005E-07 
A10=-3.43152E-09, A12= 4.20870E-11, A14=-1.53813E-16 
第17面
K= 0.00000E+00, A4= 3.82028E-05, A6=-2.62741E-06, A8= 2.19488E-07 
A10=-6.05000E-09, A12= 7.24108E-11, A14=-5.87135E-16 
第22面
K= 0.00000E+00, A4=-1.01230E-04, A6=-6.53434E-07, A8= 5.69916E-08 
A10=-1.21030E-09, A12= 0.00000E+00, A14= 0.00000E+00 
第23面
K= 0.00000E+00, A4= 5.63360E-05, A6=-4.20103E-07, A8= 4.76244E-08 
A10=-1.09765E-09, A12= 0.00000E+00, A14= 0.00000E+00 
第26面
K= 0.00000E+00, A4=-1.43850E-04, A6= 4.28820E-06, A8=-1.33364E-07 
A10= 3.14965E-09, A12= 0.00000E+00, A14= 0.00000E+00 
第27面
K= 0.00000E+00, A4= 4.78110E-04, A6= 6.53552E-06, A8=-3.36027E-07 
A10= 7.66131E-09, A12= 0.00000E+00, A14= 0.00000E+00 
第28面
K= 0.00000E+00, A4= 1.83072E-03, A6=-2.71355E-05, A8= 2.63493E-07 
A10= 5.50617E-09, A12= 0.00000E+00, A14= 0.00000E+00
【０１１２】
表  ９（各種データ）
ズーム比    22.22074
広角      中間      望遠
焦点距離       4.6399   21.8705  103.1027
Ｆナンバー     2.90019   2.90032   2.90022
画角        40.8220   10.4137    2.2379
像高         3.4100    3.9020    3.9020
レンズ全長     89.5347   98.2937  128.0535
ＢＦ        0.86975   0.85945   0.84822
d6           0.5000   24.3050   51.2109 
d14         32.6582    4.7118    0.5000 
d23          3.9654   17.0043    4.7742 
d25          1.9994    1.9964   21.8535 
d27          1.7016    1.5765    1.0264 
入射瞳位置     21.2392   71.8720  335.1599
射出瞳位置    -26.2637  -32.4471  -83.8206
前側主点位置   25.0857   79.3814  312.7126
後側主点位置   84.8947   76.4233   24.9508
単レンズデータ
レンズ     始面     焦点距離
1         1     -188.4814
2         3       93.8194
3         5      127.3019
4         7      -16.2447
5         9      -10.5447
6        11       11.1727
7        13      -38.7454
8        16       27.3762
9        18       14.4018
10        20      -10.2868
11        22       17.3675
12        24      -40.0002
13        26       11.8687
14        28      -12.2073
ズームレンズ群データ
群   始面    焦点距離  レンズ構成長    前側主点位置  後側主点位置
1      1    76.58004    10.46000         2.10862       5.83858
2      7    -9.75851    12.39880         2.37607       5.96050
3     15    17.29164    18.31150         8.70607       8.01016
4     24   -40.00019     0.50000         0.50627       0.67012
5     26    11.86872     3.30000         1.11912       2.17597
6     28   -12.20733     2.87000         0.21949       0.87793
ズームレンズ群倍率
群   始面    広角       中間       望遠
1      1    0.00000    0.00000    0.00000
2      7   -0.16450   -0.27474   -1.13298
3     15   -0.41294   -1.15246   -0.90214
4     24    1.31835    1.30752    1.76283
5     26    0.54810    0.55921    0.60618
6     28    1.23443    1.23359    1.23267
【０１１３】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１１４】
表  １０（面データ）
面番号         r           d           nd         vd                
物面             ∞                                               
1         76.77810     1.40000     1.84666    23.8               
2         51.74840     0.01000     1.56732    42.8               
3         51.74840     9.67880     1.49700    81.6               
4       -774.08150     0.15000                                   
5         40.67490     4.96510     1.59282    68.6               
6         93.84660        可変                                   
7*      1000.00000     0.70000     1.80500    41.0               
8*        18.10200     6.97910                                   
9        -31.25220     0.65000     1.77250    49.6               
10         11.54730     0.01000     1.56732    42.8               
11         11.54730     5.74060     1.92286    20.9               
12        -43.31600     0.96440                                   
13        -23.58020     0.55000     1.84666    23.8               
14         63.17730        可変                                   
15(絞り)           ∞     1.00000                                   
16*        15.45470     2.92040     1.58332    59.1               
17*      -736.39480     0.50000                                   
18         14.36600     4.20000     1.48749    70.4               
19        -13.92460     0.01000     1.56732    42.8               
20        -13.92460     0.80000     1.64769    33.8               
21         14.76440     2.90000                                   
22*        13.37660     3.48000     1.51776    69.9               
23*       -25.00000        可変                                   
24       -309.47300     0.50000     1.49700    81.6               
25         16.33030        可変                                   
26*        16.12680     3.30000     1.54410    56.1               
27*        -8.59250        可変                                   
28*        -8.60680     1.09000     1.54410    56.1               
29         21.35880     1.00000                                   
30               ∞     0.78000     1.51680    64.2               
31               ∞        (BF)                                   
像面             ∞                                               
【０１１５】
表  １１（非球面データ）
第7面
K= 0.00000E+00, A4= 1.54891E-05, A6= 4.32295E-07, A8=-1.70160E-09 
A10=-9.56497E-13, A12= 8.30852E-15, A14= 0.00000E+00 
第8面
K= 0.00000E+00, A4= 2.44340E-05, A6= 5.67445E-07, A8=-9.23392E-10 
A10= 1.16767E-10, A12=-4.52816E-13, A14= 0.00000E+00 
第16面
K= 0.00000E+00, A4= 1.70477E-05, A6=-1.56759E-06, A8= 1.21695E-07 
A10=-3.46611E-09, A12= 4.20870E-11, A14=-1.53813E-16 
第17面
K= 0.00000E+00, A4= 2.51373E-05, A6=-2.94271E-06, A8= 2.17038E-07 
A10=-6.26625E-09, A12= 7.24108E-11, A14=-5.87135E-16 
第22面
K= 0.00000E+00, A4=-1.21862E-04, A6=-5.87339E-07, A8= 5.29754E-08 
A10=-1.07619E-09, A12= 0.00000E+00, A14= 0.00000E+00 
第23面
K= 0.00000E+00, A4= 5.39483E-05, A6=-5.86702E-07, A8= 5.65871E-08 
A10=-1.17720E-09, A12= 0.00000E+00, A14= 0.00000E+00 
第26面
K= 0.00000E+00, A4=-2.48433E-04, A6= 7.62607E-06, A8= 1.60117E-07 
A10= 4.66949E-09, A12= 0.00000E+00, A14= 0.00000E+00 
第27面
K= 0.00000E+00, A4= 1.03431E-03, A6= 2.39928E-06, A8= 1.50495E-07 
A10= 1.23473E-08, A12= 0.00000E+00, A14= 0.00000E+00 
第28面
K= 0.00000E+00, A4= 2.90825E-03, A6=-6.79142E-05, A8= 2.28889E-06 
A10=-3.41163E-08, A12= 0.00000E+00, A14= 0.00000E+00
【０１１６】
表  １２（各種データ）
ズーム比    28.00356
広角      中間      望遠
焦点距離       4.6397   24.5522  129.9269
Ｆナンバー     2.90018   2.90046   2.90047
画角        41.3696    9.7236    1.8083
像高         3.4100    3.9020    3.9020
レンズ全長    103.4994  107.9156  132.2629
ＢＦ        0.86242   0.86454   0.82628
d6           0.5000   29.1093   47.3190 
d14         39.3966    8.5764    0.5000 
d23          1.7355   11.6609    1.9970 
d25          4.9809    1.9993   26.1179 
d27          1.7456    1.4268    1.2243 
入射瞳位置     30.9726  125.4345  378.6119
射出瞳位置    -24.6835  -24.2125 -101.0576
前側主点位置   34.7696  125.9483  342.8503
後側主点位置   98.8598   83.3634    2.3360
単レンズデータ
レンズ     始面     焦点距離
1         1     -192.4201
2         3       97.9788
3         5      117.0320
4         7      -22.9088
5         9      -10.8432
6        11       10.4013
7        13      -20.2223
8        16       25.9870
9        18       15.2466
10        20      -10.9441
11        22       17.3675
12        24      -31.1951
13        26       10.8113
14        28      -11.1323
ズームレンズ群データ
群   始面    焦点距離  レンズ構成長    前側主点位置  後側主点位置
1      1    75.35494    16.20390         3.25350       8.94907
2      7    -9.77320    15.59410         4.48558      10.14794
3     15    15.65146    15.81040         6.61409       7.52575
4     24   -31.19509     0.50000         0.31710       0.48327
5     26    10.81132     3.30000         1.46311       2.52044
6     28   -11.13232     2.87000         0.20019       0.85897
ズームレンズ群倍率
群   始面    広角       中間       望遠
1      1    0.00000    0.00000    0.00000
2      7   -0.18322   -0.39516   -1.49842
3     15   -0.33041   -0.84055   -0.73390
4     24    1.50632    1.37724    2.12852
5     26    0.53666    0.56603    0.58700
6     28    1.25812    1.25831    1.25487
【０１１７】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１１８】
表  １３（面データ）
面番号         r           d           nd         vd                
物面             ∞                                               
1         80.12480     1.40000     1.84666    23.8               
2         53.41990     0.01000     1.56732    42.8               
3         53.41990     7.13700     1.49700    81.6               
4       -898.58100     0.15000                                   
5         47.99770     4.29620     1.59282    68.6               
6        152.93390        可変                                   
7*        85.13440     0.70000     1.80500    41.0               
8*        14.12710     6.77380                                   
9        -24.47630     0.65000     1.77250    49.6               
10         12.40270     0.01000     1.56732    42.8               
11         12.40270     4.74680     1.92286    20.9               
12        -38.13480     1.15510                                   
13        -19.33380     0.55000     1.84666    23.8               
14       -984.62630        可変                                   
15(絞り)           ∞     1.00000                                   
16*        14.62830     2.99610     1.58332    59.1               
17*      -322.73360     1.40340                                   
18         16.14620     3.95370     1.48749    70.4               
19        -13.25720     0.01000     1.56732    42.8               
20        -13.25720     0.80000     1.64769    33.8               
21         14.76440     2.90000                                   
22*        13.37660     3.47200     1.51776    69.9               
23*       -25.00000        可変                                   
24         60.10550     0.50000     1.49700    81.6               
25         14.89760        可変                                   
26*        13.81940     2.84390     1.54410    56.1               
27*       -12.45050        可変                                   
28*       -10.86940     1.09000     1.54410    56.1               
29         21.44620     1.00000                                   
30               ∞     0.78000     1.51680    64.2               
31               ∞        (BF)                                   
像面             ∞                                               
【０１１９】
表  １４（非球面データ）
第7面
K= 0.00000E+00, A4= 8.47580E-06, A6= 5.61846E-07, A8=-3.06412E-09 
A10= 2.35805E-12, A12= 8.30852E-15, A14= 0.00000E+00 
第8面
K= 0.00000E+00, A4= 1.74688E-05, A6= 5.63030E-07, A8= 5.61040E-09 
A10= 8.64032E-11, A12=-4.52816E-13, A14= 0.00000E+00 
第16面
K= 0.00000E+00, A4= 2.33571E-06, A6=-1.48478E-06, A8= 1.19322E-07 
A10=-3.40533E-09, A12= 4.20870E-11, A14=-1.53813E-16 
第17面
K= 0.00000E+00, A4= 2.35366E-05, A6=-3.04971E-06, A8= 2.18616E-07 
A10=-6.21530E-09, A12= 7.24108E-11, A14=-5.87135E-16 
第22面
K= 0.00000E+00, A4=-1.10358E-04, A6=-8.98389E-07, A8= 5.50286E-08 
A10=-1.33718E-09, A12= 0.00000E+00, A14= 0.00000E+00 
第23面
K= 0.00000E+00, A4= 4.71055E-05, A6=-5.88116E-07, A8= 4.21873E-08 
A10=-1.17312E-09, A12= 0.00000E+00, A14= 0.00000E+00 
第26面
K= 0.00000E+00, A4=-2.09805E-04, A6= 1.51149E-06, A8=-1.97232E-07 
A10= 1.13403E-08, A12= 0.00000E+00, A14= 0.00000E+00 
第27面
K= 0.00000E+00, A4= 2.48914E-04, A6= 5.18792E-06, A8=-1.59195E-07 
A10= 1.22784E-08, A12= 0.00000E+00, A14= 0.00000E+00 
第28面
K= 0.00000E+00, A4= 1.19282E-03, A6=-1.09455E-05, A8= 6.11459E-07 
A10=-9.59011E-09, A12= 0.00000E+00, A14= 0.00000E+00
【０１２０】
表  １５（各種データ）
ズーム比    22.22177
広角      中間      望遠
焦点距離       4.6397   21.8708  103.1029
Ｆナンバー     2.49990   2.49995   2.50039
画角        40.8521   10.3296    2.1710
像高         3.4100    3.9020    3.9020
レンズ全長     98.4695  104.2279  125.7405
ＢＦ        0.85582   0.86438   0.84510
d6           0.5000   28.8939   50.1417 
d14         37.8099    8.0590    0.5000 
d23          1.5028   12.5243    3.5569 
d25          5.9784    1.9974   18.9512 
d27          1.4946    1.5609    1.4176 
入射瞳位置     26.2653  106.5446  369.2967
射出瞳位置    -27.6839  -27.2556  -62.1438
前側主点位置   30.1508  111.4050  303.6364
後側主点位置   93.8298   82.3571   22.6376
単レンズデータ
レンズ     始面     焦点距離
1         1     -193.9699
2         3      101.7071
3         5      116.2274
4         7      -21.1336
5         9      -10.5745
6        11       10.6199
7        13      -23.2987
8        16       24.0690
9        18       15.6218
10        20      -10.6650
11        22       17.3662
12        24      -40.0000
13        26       12.5150
14        28      -13.1019
ズームレンズ群データ
群   始面    焦点距離  レンズ構成長    前側主点位置  後側主点位置
1      1    76.79698    12.99320         2.82005       7.38914
2      7    -9.72035    14.58570         3.90761       8.74199
3     15    16.16441    16.53520         7.19737       7.61315
4     24   -39.99998     0.50000         0.44570       0.61047
5     26    12.51498     2.84390         1.00730       1.93638
6     28   -13.10188     2.87000         0.23465       0.89278
ズームレンズ群倍率
群   始面    広角       中間       望遠
1      1    0.00000    0.00000    0.00000
2      7   -0.17034   -0.33903   -1.30944
3     15   -0.35092   -0.90045   -0.81534
4     24    1.37771    1.28319    1.69631
5     26    0.60319    0.59743    0.60992
6     28    1.21623    1.21688    1.21541
【０１２１】
以下の表１６に、各数値実施例のズームレンズ系における各条件の対応値を示す。
【０１２２】
表  １６（条件の対応値）
【表１】
2014006653.tif 000022
【０１２３】
以上のように、本開示における技術の例示として、実施の形態を説明した。そのために、添付図面および詳細な説明を提供した。
【０１２４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２５】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２６】
本開示は、デジタルカメラ、スマートフォン等の携帯情報端末のカメラ、監視システムにおける監視カメラ、Ｗｅｂカメラ、車載カメラ等のデジタル入力装置に適用可能である。特に本開示は、デジタルカメラ等の高画質が要求される撮影光学系に適用可能である。
【符号の説明】
【０１２７】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【手続補正２】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
負のパワーを有する第２レンズ群と、
正のパワーを有する第３レンズ群と、
負のパワーを有する第４レンズ群と、
第５レンズ群と、
第６レンズ群とからなり、
撮像時の広角端から望遠端へのズーミングの際に、望遠端での前記第３レンズ群と前記第４レンズ群との間隔が、広角端での該間隔よりも大きくなるように、前記第１レンズ群、前記第２レンズ群、前記第３レンズ群及び前記第４レンズ群が光軸に沿って移動し、
前記第４レンズ群を光軸に沿って移動させて、無限遠合焦状態から近接物体合焦状態へのフォーカシングを行う
ことを特徴とする、ズームレンズ系。
【請求項２】
以下の条件（１）を満足する、請求項１に記載のズームレンズ系：
０．０５＜Ｄ４／ｆＴ＜０．２０  ・・・（１）
ここで、
Ｄ４：撮像時の広角端から望遠端へのズーミングの際の、第４レンズ群の移動量、
ｆＴ：望遠端における全系の焦点距離
である。
【請求項３】
前記第５レンズ群は、正のパワーを有する、請求項１に記載のズームレンズ系。
【請求項４】
前記第６レンズ群は、負のパワーを有する、請求項１に記載のズームレンズ系。
【請求項５】
前記第５レンズ群は、１枚のレンズ素子で構成される、請求項１に記載のズームレンズ系。
【請求項６】
前記第６レンズ群は、１枚のレンズ素子で構成される、請求項１に記載のズームレンズ系。
【請求項７】
前記第３レンズ群の物体側に開口絞りが配置され、撮像時の広角端から望遠端へのズーミングの際に、該開口絞りは該第３レンズ群と一体となって光軸に沿って移動する、請求項１に記載のズームレンズ系。
【請求項８】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１に記載のズームレンズ系である、撮像装置。
【請求項９】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【請求項１０】
物体側から像側へと順に、少なくとも
正のパワーを有する第１レンズ群と、
負のパワーを有する第２レンズ群と、
正のパワーを有する第３レンズ群とを備え、
撮像時の広角端から望遠端へのズーミングの際に、前記第１レンズ群、前記第２レンズ群及び前記第３レンズ群が光軸に沿って移動し、
以下の条件（２）、（３）及び（４）を満足することを特徴とする、ズームレンズ系：
０．７＜ＬＴ／ｆＴ＜１．５  ・・・（２）
ｆＴ／ｆＷ＞１２．０  ・・・（３）
ＦＴ／ＦＷ＜１．４  ・・・（４）
ここで、
ＬＴ：望遠端におけるレンズ全長（第１レンズ群の最物体側レンズ面から像面までの距離）、
ｆＴ：望遠端における全系の焦点距離、
ｆＷ：広角端における全系の焦点距離、
ＦＴ：望遠端におけるＦナンバー、
ＦＷ：広角端におけるＦナンバー
である。
【請求項１１】
前記第３レンズ群の像側に、物体側から像側へと順に、負のパワーを有する第４レンズ群と、正のパワーを有する第５レンズ群と、負のパワーを有する第６レンズ群とが配置されている、請求項１０に記載のズームレンズ系。
【請求項１２】
前記第３レンズ群の物体側に開口絞りが配置され、撮像時の広角端から望遠端へのズーミングの際に、該開口絞りは該第３レンズ群と一体となって光軸に沿って移動する、請求項１０に記載のズームレンズ系。
【請求項１３】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１０に記載のズームレンズ系である、撮像装置。
【請求項１４】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１０に記載のズームレンズ系である、カメラ。
【手続補正３】
【補正対象書類名】図面
【補正対象項目名】全図
【補正方法】変更
【補正の内容】
【図１】
2014006653.tif 000023
【図２】
2014006653.tif 000024
【図３】
2014006653.tif 000025
【図４】
2014006653.tif 000026
【図５】
2014006653.tif 000027
【図６】
2014006653.tif 000028
【図７】
2014006653.tif 000029
【図８】
2014006653.tif 000030
【図９】
2014006653.tif 000031
【図１０】
2014006653.tif 000032
【図１１】
2014006653.tif 000033
【図１２】
2014006653.tif 000034
【図１３】
2014006653.tif 000035
【図１４】
2014006653.tif 000036
【図１５】
2014006653.tif 000037
【図１６】
2014006653.tif 000038
【国際調査報告】
2014006653.tif 000039
2014006653.tif 000040
2014006653.tif 000041
2014006653.tif 000042
2014006653.tif 000043
2014006653.tif 000044
2014006653.tif 000045